(57)【要約】【課題】送風装置が着脱可能な衣服において、着用者の身体を効果的に冷却可能な技術を提供する【解決手段】吸気口８６０と排気口８８０とを有するファンユニット８が着脱可能な上着は、表地２と、表地２に取り付けられた裏地３とを備える。表地２は、吸気口８６０および排気口８８０が表地２の外側および裏地３側に夫々配置された状態でファンユニット８が取り付けられるファン取付け部２１２を有する。表地２と裏地３の間には、ファンユニット８の駆動によって排気口８８０から送出された外気が流動可能な内部空間１０が形成されている。内部空間１０は、上着が非着用状態で、ファンユニット８によって風量Ｑ（１分当たりの立方メートル：ｍ３／ｍｉｎ）で内部空間１０に外気が送出された場合に、風量Ｑと内部空間１０の圧力Ｐ（パスカル：Ｐａ）とが、Ｐ≧１．１Ｑ２という関係を満たすように構成されている。【選択図】  図３
2019127675.tif 000002
【特許請求の範囲】
【請求項１】
衣服であって、
吸気口と排気口とを有する送風装置と、
表地と、
前記表地に取り付けられた裏地とを備え、
前記表地は、前記吸気口および前記排気口が前記表地の外側および前記裏地側に夫々配置された状態で前記送風装置が着脱可能な取付け部を有し、
前記表地と前記裏地の間には、前記送風装置の駆動によって前記排気口から送出された外気が流動可能な内部空間が形成されており、
前記内部空間は、前記衣服が非着用状態で、前記送風装置によって風量Ｑ（１分当たりの立方メートル：ｍ３／ｍｉｎ）で前記内部空間に前記外気が送出された場合に、前記風量Ｑと前記内部空間の圧力Ｐ（パスカル：Ｐａ）とが、Ｐ≧１．１Ｑ２という関係を満たすように構成されていることを特徴とする衣服。
【請求項２】
請求項１に記載の衣服であって、前記内部空間は、前記風量Ｑと前記圧力Ｐとが、Ｐ≧１．４Ｑ２という関係を満たすように構成されていることを特徴とする衣服。
【請求項３】
衣服であって、
吸気口と排気口とを有する送風装置と、
表地と、
前記表地に取り付けられた裏地とを備え、
前記表地は、前記吸気口および前記排気口が前記表地の外側および前記裏地側に夫々配置された状態で前記送風装置が着脱可能な取付け部を有し、
前記表地と前記裏地の間には、前記送風装置の駆動によって前記排気口から送出された外気が流動可能な内部空間が形成されており、
前記衣服は、非着用状態で前記送風装置によって前記内部空間に前記外気が送出された場合の前記内部空間の圧力が、前記送風装置が送風可能な風量範囲内の何れかの風量において、少なくとも５パスカルとなるように構成されていることを特徴とする衣服。
【請求項４】
請求項１〜３の何れか１つに記載の衣服であって、
前記裏地は、第１領域と、前記第１領域よりも通気度が高い第２領域とを含むことを特徴とする衣服。
【請求項５】
請求項４に記載の衣服であって、
ＪＩＳ  Ｌ１０９６―１９９８  ６．２７通気性Ａ法（フラジール法）により測定した前記第１領域の通気度が、１〜５０ｃｃ／ｃｍ２／ｓの範囲内であることを特徴とする衣服。
【請求項６】
請求項４または５に記載の衣服であって、
前記第２領域は、メッシュ生地で構成されており、
前記第１領域は、前記メッシュ生地以外の織物、編物または不織布で構成されていることを特徴とする衣服。
【請求項７】
請求項４〜６の何れか１つに記載の衣服であって、
前記第２領域は、前記裏地のうち、前記衣服の着用時に着用者の首周り、腕の付け根周り、および胸部のうち少なくとも１つに対応する領域であることを特徴とする衣服。
【請求項８】
請求項１〜７の何れか１つに記載の衣服であって、
前記裏地の縁部は、前記表地に対して全体が開放不能な状態、または一部が開閉可能な状態で前記表地に取り付けられていることを特徴とする衣服。
【請求項９】
請求項１〜８の何れか１つに記載の衣服であって、
前記衣服が着用された状態で、前記送風装置によって前記内部空間に前記外気が送出された場合に、前記内部空間の前記圧力が、前記裏地と着用者の身体の間に形成される空間の圧力よりも高くなるように構成されていることを特徴とする衣服。
【請求項１０】
請求項１〜８の何れか１つに記載の衣服であって、
前記衣服が着用された状態で、前記送風装置によって前記内部空間に前記外気が送出された場合に、前記裏地の少なくとも一部が着用者の身体に密着するように構成されていることを特徴とする衣服。
【請求項１１】
吸気口と排気口とを有する送風装置が着脱可能な衣服であって、
表地と、
前記表地に取り付けられた裏地とを備え、
前記表地は、前記吸気口および前記排気口が前記表地の外側および前記裏地側に夫々配置された状態で前記送風装置が着脱可能な取付け部を有し、
前記表地と前記裏地の間には、前記取付け部に装着された前記送風装置の駆動によって前記排気口から送出された外気が流動可能な内部空間が形成されており、
ＪＩＳ  Ｌ１０９６―１９９８  ６．２７通気性Ａ法（フラジール法）により測定した前記裏地の通気度は、１〜５０ｃｃ／ｃｍ２／ｓの範囲内であり、且つ、前記表地の通気度よりも大きいことを特徴とする衣服。
【請求項１２】
吸気口と排気口とを有する送風装置が着脱可能な衣服であって、
表地と、
前記表地に取り付けられた裏地とを備え、
前記表地は、前記吸気口および前記排気口が前記表地の外側および前記裏地側に夫々配置された状態で前記送風装置が着脱可能な取付け部を有し、
前記表地と前記裏地の間には、前記取付け部に装着された前記送風装置の駆動によって前記排気口から送出された外気が流動可能な内部空間が形成されており、
前記裏地の通気度は、前記表地の通気度よりも大きく、
前記裏地のうち、前記表地と前記裏地との接合部に囲まれた第１領域の面積は、前記表地のうち前記接合部に囲まれた第２領域の面積よりも大きいことを特徴とする衣服。
【発明の詳細な説明】
【技術分野】
【０００１】
本発明は、送風装置が着脱可能な衣服に関する。
【背景技術】
【０００２】
送風装置が着脱可能な衣服が知られている（例えば、特許文献１参照）。このような衣服では、送風装置によって衣服内に外気が送出されることで、衣服の着用者の身体を冷却することができる。
【先行技術文献】
【特許文献】
【０００３】
【特許文献１】特開２００５―５４２９９号公報
【発明の概要】
【発明が解決しようとする課題】
【０００４】
特許文献１に開示されている衣服では、ファンによって外部から取り込まれた空気は、着用者の身体と衣服の間を流れつつ身体を冷却し、襟元や袖口に設けられた空気出口部から外部へ流出する。このため、空気出口部以外の部分（裾、前立て等）から空気が漏れると冷却効果が下がってしまう傾向がある。
【０００５】
本発明は、このような事情に鑑みてなされたものであり、送風装置が着脱可能な衣服において、着用者の身体を効果的に冷却可能な技術を提供することを課題とする。
【課題を解決するための手段】
【０００６】
本発明の一態様として、送風装置と、表地と、表地に取り付けられた裏地とを備えた衣服が提供される。送風装置は、吸気口と排気口とを有する。表地は、取付け部を備えている。取付け部には、吸気口および排気口が表地の外側および裏地側に夫々配置された状態で、送風装置が取り付け可能である。表地と裏地の間には、内部空間が形成されている。送風装置の駆動によって排気口から送出された外気は、内部空間を流動可能である。そして、内部空間は、衣服が非着用状態で、送風装置によって風量Ｑ（１分当たりの立方メートル：ｍ３／ｍｉｎ）で内部空間に外気が送出された場合に、風量Ｑと内部空間の圧力Ｐ（パスカル：Ｐａ）とが、Ｐ≧１．１Ｑ２という関係を満たすように構成されている。
【０００７】
本態様の衣服によれば、送風装置によって表地と裏地の間の内部空間に送出された外気によって、裏地を表地から離れる方向に膨らませる（つまり、表地と裏地との間の距離を増大させる）ことが可能な好適な内圧Ｐを得ることができる。これにより、裏地の少なくとも一部を着用者の身体（または肌着）に接触させやすくなるため、裏地に汗を吸収させて、表地と裏地の間で流動する外気によって、この汗を蒸発させやすくなる。この場合、裏地と身体（または肌着）との接触部分では、効率的な熱交換が行われ、着用者を効果的に冷却することができる。なお、内部空間は、風量Ｑと圧力Ｐとが、Ｐ≧１．４Ｑ２という関係を満たすように構成されていることがより好ましく、Ｐ≧２．０Ｑ２という関係を満たすように構成されていることがより好ましく、Ｐ≧３．０Ｑ２という関係を満たすように構成されていることが更に好ましい。この場合、裏地を更に膨らませることができるため、裏地のより広い範囲を着用者の身体により確実に接触させやすくなる。
【０００８】
本発明の一態様として、送風装置と、表地と、表地に取り付けられた裏地とを備えた衣服が提供される。送風装置は、吸気口と排気口とを有する。表地は、取付け部を備えている。取付け部には、吸気口および排気口が表地の外側および裏地側に夫々配置された状態で、送風装置が取り付け可能である。表地と裏地の間には、内部空間が形成されている。この衣服は、非着用状態で送風装置によって内部空間に外気が送出された場合の内部空間の圧力が、送風装置が送風可能な風量範囲内の何れかの風量において、少なくとも５パスカルとなるように構成されている。
【０００９】
本態様の衣服によれば、送風装置によって表地と裏地の間に送出された外気によって内部空間の圧力を少なくとも５パスカルまで高め、裏地を表地から離れる方向に膨らませる（つまり、表地と裏地との間の距離を増大させる）ことができる。これにより、裏地の少なくとも一部を着用者の身体（または肌着）に接触させやすくなるため、裏地に汗を吸収させて、表地と裏地の間で流動する外気によって、この汗を蒸発させやすくなる。この場合、裏地と身体（または肌着）との接触部分では、効率的な熱交換が行われ、着用者を効果的に冷却することができる。なお、本態様の「送風装置が送風可能な風量範囲」とは、風量が一律である（変更不能である）場合には、予め定められた所定の風量をいい、風量が変更可能である場合には、使用者の操作を介して、あるいは制御装置によって設定可能な風量の最小値から最大値までの範囲をいう。なお、衣服に着脱可能な送風装置の仕様に関する現実的な制約を考慮すると、最小値は概ね毎分０．４立方メートル（ｍ３／ｍｉｎ）以上であり、最大値は概ね毎分２．５立方メートル（ｍ３／ｍｉｎ）以下である。縫製にもよるが、内部空間の圧力は、４０．４パスカル以下程度であることが好ましい。この場合、内部空間の圧力が高まりすぎて、裏地が過度に着用者の身体に押し付けられ、着用感が損なわれるのを抑制することができる。
【００１０】
本発明の一態様において、裏地は、第１領域と、第１領域よりも通気度が高い第２領域とを含んでもよい。本態様によれば、裏地は、内部空間に送出された外気が、単位時間あたりに所定の単位面積を流通可能な体積量の観点で、第１領域よりも通気度が高い第２領域から流出しやすい構成とされている。よって、着用者の身体の特定の部位に対応して第２領域を選択的に配置することで、着用者の身体をより効果的に冷却することが可能となる。
【００１１】
本発明の一態様において、ＪＩＳ  Ｌ１０９６―１９９８  ６．２７通気性Ａ法（フラジール法）により測定した第１領域の通気度は、１〜５０ｃｃ／ｃｍ２／ｓの範囲内であるとよい。第１領域の通気度は、好ましくは１０〜３０ｃｃ／ｃｍ２／ｓの範囲内であり、より好ましくは、１５〜２５ｃｃ／ｃｍ２／ｓの範囲内である。本態様によれば、内部空間に送出された外気を、第２領域から積極的に流出させて身体の特定の部位を効果的に冷却しつつ、第１領域からも緩やかに流出させて身体のより広範囲からの放熱を促進し、冷感をより高めることができる。なお、第１領域の通気度を上記範囲内とすることで、裏地が着用者の身体に接触していない場合であっても、第１領域を通して身体側に流出する外気によって、身体からの放熱を促進することができる。特に、第１領域の通気度が、１０〜３０ｃｃ／ｃｍ２／ｓの範囲内である場合は、送風量を大きくしなくても、裏地の少なくとも一部が着用者の身体に接触しつつ、第１領域を通して外気が身体側に十分に流出するので、裏地と身体（または肌着）との接触部分における効率的な熱交換と、身体の広範囲からの放熱との両方をより確実に実現することができ、効果的に着用者の身体を冷却することが可能となる。
【００１２】
本発明の一態様において、第２領域は、メッシュ生地で構成されており、第１領域は、メッシュ生地以外の織物、編物または不織布等で構成されていてもよい。本態様によれば、空隙の割合がより高いメッシュ生地で構成された第２領域からスムーズに外気を流出させることができる。
【００１３】
本発明の一態様において、第２領域は、裏地のうち、衣服の着用時に着用者の首周り、腕の付け根周り、および胸部のうち少なくとも１つに対応する領域であってもよい。本態様によれば、熱がこもった身体の冷却効果が高いとされる部位（皮膚のすぐ下に太い血管が通っている部位）に外気を直接当て、着用者の身体をより効果的に冷却することができる。
【００１４】
本発明の一態様において、裏地の縁部は、表地に対して全体が開放不能な状態、または一部が開閉可能な状態で表地に取り付けられていてもよい。なお、「開放不能な状態」とは、典型的には、縁部全体が縫合や接着等によって表地に接合されている状態を指し、「開閉可能な状態」とは、典型的には、縁部の一部に開口が設けられ、その開口がボタン、スライドファスナ、面ファスナ等の手段によって閉塞可能であることを指すものである。本態様によれば、送風装置で送風が行われる場合には内部空間が表地と裏地によって取り囲まれた状態を確保して、内部空間から無用に外気が漏れることを抑制し、より確実に内部空間の圧力を維持することができる。また、必要に応じて縁部の一部と表地との間に形成される開口から、選択的に外気を排出することができる。
【００１５】
本発明の一態様において、衣服は、着用された状態で、送風装置によって内部空間に外気が送出された場合に、内部空間の圧力が、裏地と着用者の身体の間に形成される空間の圧力よりも高くなるように構成されていてもよい。本態様によれば、裏地を良好に膨らませることができる。
【００１６】
本発明の一態様によれば、衣服は、着用された状態で、送風装置によって内部空間に外気が送出された場合に、裏地の少なくとも一部が着用者の身体に密着するように構成されていてもよい。本態様によれば、裏地に汗を吸収させ、表地と裏地の間で流動する外気によって、この汗を蒸発させる効果をより高めることができる。
【００１７】
本発明の一態様として、吸気口と排気口とを有する送風装置が着脱可能な衣服が提供される。この衣服は、表地と、表地に取り付けられた裏地とを備えている。表地は、吸気口および排気口が表地の外側および裏地側に夫々配置された状態で送風装置が着脱可能な取付け部を有する。表地と裏地の間には、取付け部に装着された送風装置の駆動によって排気口から送出された外気が流動可能な内部空間が形成されている。また、ＪＩＳ  Ｌ１０９６―１９９８  ６．２７通気性Ａ法（フラジール法）により測定した裏地の通気度は、１〜５０ｃｃ／ｃｍ２／ｓの範囲内であり、且つ、表地の通気度よりも大きい。
【００１８】
本態様の衣服では、裏地の通気度は、表地の通気度よりは大きいものの、比較的小さく設定されている。これにより、内部空間の外気の圧力をある程度高く維持しつつ、内部空間の外気を、裏地を通して着用者の身体側に緩やかに流出させることができる。よって、本態様の衣服によれば、裏地が身体に接触していない場合であっても、裏地全体から緩やかに流出する外気によって身体の広範囲からの放熱を促進し、着用者を効果的に冷却することができる。また、裏地の少なくとも一部が着用者の身体に接触している場合には、その部分に汗を吸収させ、表地と裏地の間で流動する外気によって、この汗を蒸発させることができる。この場合、効率的な熱交換によって着用者を効果的に冷却することができる。
【００１９】
なお、本態様における裏地の通気度は、好ましくは１０〜３０ｃｃ／ｃｍ２／ｓの範囲内であり、より好ましくは、１５〜２５ｃｃ／ｃｍ２／ｓの範囲内である。また、裏地には、上記範囲の上限よりも通気度が大きい通気口（通気度がより高い生地で覆われた開口であっても、貫通孔であってもよい）が選択的に設けられていてもよい。なお、第１領域の通気度を上記範囲内とすることで、裏地が着用者の身体に接触していない場合であっても、第１領域を通して身体側に流出する外気によって、身体からの放熱を促進することができる。特に、第１領域の通気度が、１０〜３０ｃｃ／ｃｍ２／ｓの範囲内である場合は、送風量を大きくしなくても、裏地の少なくとも一部が着用者の身体に接触しつつ、第１領域を通して外気が身体側に十分に流出するので、裏地と身体（または肌着）との接触部分における効率的な熱交換と、身体の広範囲からの放熱との両方をより確実に実現することができ、効果的に着用者の身体を冷却することが可能となる。
【００２０】
本発明の一態様として、吸気口と排気口とを有する送風装置が着脱可能な衣服が提供される。この衣服は、表地と、表地に取り付けられた裏地とを備えている。表地は、吸気口および排気口が表地の外側および裏地側に夫々配置された状態で送風装置が着脱可能な取付け部を有する。表地と裏地の間には、取付け部に装着された送風装置の駆動によって排気口から送出された外気が流動可能な内部空間が形成されている。裏地の通気度は、表地の通気度よりも大きい。また、裏地のうち、表地と裏地との接合部に囲まれた第１領域の面積は、表地のうち接合部に囲まれた第２領域の面積よりも大きい。
【００２１】
本態様の衣服は、裏地の通気度を表地の通気度よりも高く設定することで、送風装置が取付け部に装着され、内部空間に外気が送出された場合、外気が表地よりも裏地から流出しやすい構成とされている。また、裏地の第１領域の面積の方が表地の第２領域の面積よりも大きいため、裏地が着用者の身体側に膨らみやすく、裏地の少なくとも一部が着用者の身体（または肌着）に接触しやすくなる。これにより、裏地に汗を吸収させて、表地と裏地の間で流動する外気によって、この汗を蒸発させやすくなる。また、裏地を通して流出した外気によって、着用者の身体からの放熱を促進することができる。よって、着用者の身体を効果的に冷却することができる。また、表地よりも裏地の膨らみの方が大きくなるため、例えば、表地を身体に沿った大きさとした場合であっても、裏地を効率的に身体に接触させやすい。なお、本態様において、第１領域の面積は、第２領域の面積の１．１〜２倍であることが好ましい。この場合、裏地を身体側に効果的に膨ませることができる。
【００２２】
なお、本態様における表地と裏地との接合方法は特に限定されるものではなく、例えば、縫合、接着を含む。なお、第１領域および第２領域は、全周に亘って接合されている必要はなく、外周の一部に接合されていない部分（内部空間と外部とを連通する開口）が選択的に設けられてもよい。また、このような開口は、例えば、ボタン、スライドファスナ、面ファスナ等の手段によって閉塞可能であってもよい。
【図面の簡単な説明】
【００２３】
【図１】背面からみた状態の上着を示す説明図である。
【図２】前を開いた状態の上着の内側を示す説明図である。
【図３】ファンユニットが取り付けられた上着の断面を示す説明図である。
【図４】ファンユニットの斜視図である。
【図５】ファンユニットの吸気部の正面図である。
【図６】バッテリホルダの斜視図である。
【図７】内圧Ｐと風量Ｑの関係の説明図である。
【図８】背面からみた状態のベストを示す説明図である。
【図９】前を開いた状態のベストの内側を示す説明図である。
【図１０】実施形態の上着と、変形例の上着およびベストと、比較例の上着の内圧の実測データを示すグラフである。
【発明を実施するための形態】
【００２４】
以下、図面を参照して、本発明の実施形態について説明する。なお、以下の実施形態では、本発明に係る衣服の一例として、上着１を例示する。
【００２５】
まず、上着１の概略構成について説明する。図１および図２に示す本実施形態の上着１は、通気衣服、空調衣服、冷却衣服などとも称される衣服の一例であって、送風を行うファンユニット８を着脱可能に構成されている。上着１は、表地２と裏地３とを備えており、ファンユニット８は、吸気口８６０および排気口８８０が表地２の外側および裏地３側に夫々配置された状態で、表地２に取り付けられる。着用者が上着１を着用した状態でファンユニット８による送風が行われると、吸気口８６０から吸い込まれた外気が、排気口８８０を介して表地２と裏地３の間に送出され、表地２と裏地３の間に形成された内部空間１０（図３参照）内を流動する。これにより裏地３が膨らみ、着用者の身体（肌着を着用した状態を含む）に接触して、汗を吸収する。そして、内部空間１０を流動する外気がこの汗を蒸発させることで熱を奪い、着用者に冷感を与えるものである。また、外気は、裏地３を通して内部空間１０から流出し、身体全体の放熱を促進することによっても着用者に冷感を与える。
【００２６】
以下、上着１の詳細構成について説明する。図１および図２に示すように、上着１は、前開きの長袖の上衣として構成されており、表地２と、表地２に取り付けられた裏地３とを備えている。
【００２７】
表地２は、後身頃２１、前身頃２３、および袖２５を有する。
【００２８】
図１に示すように、後身頃２１は、２つのファンユニット８を着脱可能に構成されている。より詳細には、後身頃２１は、下部（詳細には、着用時に着用者の腰上部を覆う部分）の２箇所に、ファンユニット８が取り付けられる取付け開口２１１を有する。なお、取付け開口２１１は、ファンユニット８のハウジング８４の筒状部８５（図３参照）の径と概ね同径に形成されている。以下、取付け開口２１１の周縁部を、ファン取付け部２１２ともいう。なお、ファン取付け部２１２は、ファンユニット８を安定して取り付け可能とするために、補強材によって補強されていることが好ましい。
【００２９】
図２に示すように、前身頃２３は、左身頃と右身頃とが１対のスライドファスナ２３１によって接続（開閉）可能とされている。また、表地２の裾は、引き紐２９を通した状態で、筒状に縫い止められている。着用者は、適宜、引き紐２９を引っ張ってストッパで留めることで、裾の絞り具合を調節することができる。また、袖２５の袖口は一部がゴムで伸縮自在とされており、更に、面ファスナ付きのストラップ２５１で、袖口の絞り具合が調整可能とされている。
【００３０】
なお、本実施形態では、表地２には、優れた耐水性および透湿性を有する生地が採用されている。より詳細には、表地２には、ポリエチレンテレフタレートマルチフィラメント（５６ｄｔｅｘ／７２ｆｉｌ）の経糸およびポリエチレンテレフタレートマルチフィラメント（５６ｄｔｅｘ／７２ｆｉｌ）の緯糸を用いた平織物が採用されており、その経密度は２２０本／２．５４ｃｍ、緯密度は１４５本／２．５４ｃｍである。また、表地２の目付けは１０７ｇ／ｍ２である。更に、ＪＩＳ  Ｌ１０９６―１９９８  ６．２７通気性Ａ法（フラジール法）により測定した通気度は、本実施の形態においては、単位時間当たり単位面積を通過する流体体積として、０．１ｃｃ／ｃｍ２／ｓ（当該単位については、「ｃｃ／（ｃｍ２・ｓ）」とも表記される）である。
【００３１】
図２に示すように、裏地３は、表地２の後身頃２１および前身頃２３全体を覆うように、縁部３０の全体が表地２に縫い付けられている。つまり、袖２５には裏地は取り付けられていない。なお、ファンユニット８による送風時に、表地２から離れる方向（つまり着用者の身体側）に膨らみやすいように、裏地３のうち、表地２と裏地３との縫合部（縁部３０）に囲まれた領域の面積は、表地２のうち、縁部３０に囲まれた領域の概ね１．１倍とされている。
【００３２】
裏地３のうち、後身頃２１を覆う部分の下端部には、縁部３０に沿って、直線状に切り込まれた開口３０１が形成されている。開口３０１は、スライドファスナ３０２により開閉可能とされている。ファンユニット８をファン取付け部２１２に着脱する場合には、スライドファスナ３０２が開けられ、開口３０１を介して着脱作業が行われる。一方、上着１を着用してファンユニット８による送風が行われる場合には、スライドファスナ３０２は閉じられた状態とされる。これにより、腰の周囲で内部空間１０から外気が漏れ出ることが防止される。裏地３のうち、右前身頃を覆う部分には、スナップボタンによって留め付け可能なフラップを有するポケット３０４が設けられている。更に、裏地３のうち、２つのファン取付け部２１２に対向する部分の下側には、夫々、ファンユニット８と、後述するバッテリホルダ９６（図３参照）とを接続するためのケーブル９１を挿通可能な開口３０６が設けられている。なお、開口３０６の周囲には、ケーブル９１が挿通されている場合にはその外周部を覆うとともに、ケーブル９１が挿通されていない場合に開口３０６を実質的に塞ぐべく、筒状のカバーが設けられている。
【００３３】
また、裏地３は、通気度が互いに異なる複数の領域を有する。具体的には、裏地３は、より低い通気度を有する主領域３１と、より高い通気度を有する排気領域３２とを有する。主領域３１は、裏地３の面積の大部分を占めており、ファンユニット８による送風時に伴って膨らみ、着用者の身体に接触可能な領域を含む。一方、排気領域３２は、表地２と裏地３の間に送出された外気が主領域３１よりも容易に通過可能な領域として構成されている。排気領域３２は、着用者が特に冷感を得やすく、熱がこもった身体の冷却効果が高いとされる部位（皮膚のすぐ下に太い血管が通っている部位）に対応して選択的に設けられる。本実施形態では、排気領域３２は、着用時に、着用者の首筋、両脇の下、両腕の付け根の背中側の部分、および胸部（特に、鳩尾およびその上部）に夫々対向する領域に設けられている。なお、排気領域３２は、縁部３０に隣接して設けられている。また、排気領域３２全体の面積は、主領域３１の面積の１０パーセント以下程度にとどめられている。
【００３４】
本実施形態では、主領域３１と排気領域３２は、通気度が異なる生地で構成されている。主領域３１には、優れた吸汗・速乾性を有する生地が採用されている。より詳細には、主領域３１には、ポリエチレンテレフタレートマルチフィラメント（８３ｄｔｅｘ／２４ｆｉｌ）の経糸およびポリエチレンテレフタレートマルチフィラメント（３３ｄｔｅｘ／１２ｆｉｌ）の緯糸を用いた綾織物が採用されており、この織物には吸水加工が施されている。また、主領域３１の密度は、１２６本／２．５４ｃｍ、９０本／２．５４ｃｍである。また、主領域３１の目付けは、７７．２ｇ／ｍ２である。更に、ＪＩＳ  Ｌ１０９６―１９９８  ６．２７通気性Ａ法（フラジール法）により測定した主領域３１の通気度は、１９．４ｃｃ／ｃｍ２／ｓである。一方、主領域３１よりも通気度の高い排気領域３２には、通気度１００ｃｃ／ｃｍ２／ｓ以上のメッシュ生地が採用されている。
【００３５】
以下、上着１に着脱可能に構成されたファンユニット８の構成について説明する。図３および図４に示すように、ファンユニット８は、本体部８１と、本体部８１とは別体として形成され、本体部８１に着脱可能なリング部材８９とを備えている。
【００３６】
まず、本体部８１について説明する。図３に示すように、本体部８１は、モータ８２と、ファン８３と、モータ８２およびファン８３を収容するハウジング８４とを主体として構成されている。モータ８２およびファン８３は、ハウジング８４内に同軸状に配置されている。なお、本実施形態では、モータ８２として、ブラシを有する直流モータが採用されている。ファン８３は、複数の羽根８３１を備えた軸流ファンとして構成されている。ファン８３は、モータ８２の駆動に伴って、回転軸Ａ１周りにモータシャフトと一体的に回転される。
【００３７】
図３〜図５に示すように、ハウジング８４は、リング部材８９が取り付けられる筒状部８５と、吸気口８６０を有する吸気部８６と、吸気部８６の周囲に設けられたフランジ部８７と、排気口８８０を有する排気部８８とを含む。
【００３８】
図３に示すように、筒状部８５は円筒状に形成された部分であって、ファン８３の回転軸Ａ１を中心軸として、モータ８２およびファン８３と同軸状に配置されている。詳細な図示は省略するが、筒状部８５の外周面には、リング部材８９の内周面に形成された雌ネジ部に螺合可能な雄ネジ部が形成されている。
【００３９】
吸気部８６は、筒状部８５の２つの開口端のうちファン８３の吸気側の端を覆うように配置されている。図５に示すように、吸気部８６は、回転軸Ａ１方向からみて全体として円形に形成されており、閉塞部８６１と、第１リブ８６３と、第２リブ８６４とを含む。閉塞部８６１は、回転軸Ａ１に概ね直交するように、吸気部８６の中心部に配置された板状部である。第１リブ８６３は、閉塞部８６１から概ね放射状に延びている。第２リブ８６４は、閉塞部８６１の外形に対応する環状に形成され、吸気部８６の径方向中央部に配置されて、第１リブ８６３を接続している。本実施形態では、吸気部８６の第１リブ８６３および第２リブ８６４の間に形成された開口が、吸気口８６０を構成する。各吸気口８６０は、吸気部８６を回転軸Ａ１方向に貫通している。フランジ部８７は、吸気部８６の外周から径方向外側に突出するように設けられている。
【００４０】
図３に示すように、排気部８８は、筒状部８５の２つの開口端のうちファン８３の排気側の端を覆うように配置されている。図４に示すように、排気部８８は、全体としては、回転軸Ａ１方向において筒状部８５から離れる方向に突出する円形ドーム状に形成されており、閉塞部８８１と、第１リブ８８３と、第２リブ８８４と、第３リブ８８５とを含む。閉塞部８８１は、回転軸Ａ１に概ね直交するように、排気部８８の中心部に配置された板状部である。第１リブ８８３は、閉塞部８８１から放射状に延びている。第２リブ８８４は、環状に形成され、第１リブ８８３の径方向外側の端部を接続する。第３リブ８８５は、回転軸Ａ１周りの周方向に等間隔で配置され、第２リブ８８４と筒状部８５の端部を円弧状に接続する。本実施形態では、排気部８８の第１リブ８８３、第２リブ８８４、第３リブ８８５の間に形成された開口が、排気口８８０を構成する。各排気口８８０は、排気部８８を回転軸Ａ１方向に貫通している。なお、排気口８８０のうち、第３リブ８８５の間に形成された排気口８８０は、排気部８８を回転軸Ａ１に交差する方向にも貫通している。
【００４１】
また、図３および図４に示すように、排気部８８の周方向における一部には、第１リブ８８３〜第３リブ８８５が設けられていないコネクタ配置領域８８７が設けられている。コネクタ配置領域８８７に対して回転軸Ａ１側には、モータ８２に電気的に接続されたコネクタ８８８が配置されている。コネクタ配置領域８８７には、ファンユニット８とバッテリホルダ９６とを接続するためのケーブル９１のコネクタ９１３が配置され、コネクタ８８８に差し込まれる。なお、図２に示すように、ケーブル９１は、２つのファンユニット８に対応可能な二股状に構成されており、一端にはバッテリホルダ９６のコネクタ９６２（図６参照）に接続可能なコネクタ９１１を有し、二股に分かれた他端の各々には、ファンユニット８のコネクタ８８８に接続可能なコネクタ９１３を有する。
【００４２】
次に、リング部材８９について説明する。図３および図４に示すように、リング部材８９は、筒状部８９１と、フランジ部８９３とを主体として構成されている。筒状部８９１は、本体部８１の筒状部８５の外周に着脱可能に構成された短尺状の円筒体として形成されている。詳細な図示は省略するが、本実施形態では、筒状部８９１の内周面には、雌ネジ部が形成されている。筒状部８５の外周面に形成された雄ネジ部に対してこの雌ネジ部が螺合されることで、リング部材８９が本体部８１に対して同軸状に取付けられる。フランジ部８９３は、筒状部８５の軸方向における一端部から径方向外側に突出するように設けられている。フランジ部８９３の外径は、本体部８１のフランジ部８７の外径と概ね同一に設定されている。
【００４３】
以上のように構成されたファンユニット８は、図３に示すように、本体部８１の吸気部８６および排気部８８が、表地２の外側（つまり、外気に曝される側）および裏地３側（着用者の身体側）に夫々配置された状態で、ファン取付け部２１２に取り付けられる。具体的には、使用者はまず、リング部材８９が取り外された状態の本体部８１の一部を、上着１の取付け開口２１１に挿入する。より詳細には、本体部８１のフランジ部８７をファン取付け部２１２の外側に配置し、筒状部８５と排気部８８を、取付け開口２１１から上着１の内側へ挿入する。これにより、フランジ部８７の前側にファン取付け部２１２（表地２）が配置された状態となる。更に、使用者は、裏地３のスライドファスナ３０２（図２参照）を開け、開口３０１を通してリング部材８９を本体部８１に取り付ける。具体的には、外側のフランジ部８７と内側のフランジ部８９３によってファン取付け部２１２（表地２）が挟持される位置まで、リング部材８９（筒状部８９１）を本体部８１(筒状部８５）に螺合させる。このようにしてファンユニット８が取付けられると、排気口８８０は、裏地３に対向するように、表地２と裏地３の間に配置される。
【００４４】
その後、図２に示すように、開口３０１を通してケーブル９１のコネクタ９１１がファンユニット８に接続され、コネクタ９１３側の端部が、ケーブル９１用の開口３０６から裏地３の内側に引き出される。本実施形態では、ファンユニット８は、ケーブル９１を介して、図６に示すバッテリホルダ９６に電気的に接続可能とされている。バッテリホルダ９６は、ファンユニット８の電源としての充電式のバッテリ９５を装着可能、且つ、電気的に接続可能な周知の構成を有する。なお、本実施形態のバッテリ９５は、各種の電動工具（スクリュードライバ、ハンマドリル等）に装着されて、電動工具の電源としても使用可能な周知のバッテリである。バッテリホルダ９６からは、一端にコネクタ９６２を有するケーブル９６１が延出されている。コネクタ９６２には、ケーブル９１のコネクタ９１１を接続可能である。
【００４５】
なお、バッテリ９５が装着されたバッテリホルダ９６は、ポケット３０４（図２参照）内に収容することができる。また、バッテリホルダ９６に設けられた弾性を有するクリップ９６３によって、ベルト等に取り付けることも可能である。
【００４６】
また、バッテリホルダ９６には、ファンユニット８（詳細には、モータ８２）の駆動開始および停止の指示を入力するための操作ボタン９６５が設けられている。本実施形態では、バッテリホルダ９６には、操作ボタン９６５を介して入力された情報に応じてモータ８２の駆動制御を行うコントローラ（典型的には、ＣＰＵを備えたマイクロコンピュータ）も搭載されている。また、本実施形態では、操作ボタン９６５は、ファンユニット８の風量の調節のための指示も入力可能とされている。風量の調節は、コントローラによって、操作ボタン９６５から入力された情報に応じてモータ８２の回転数が変更されることで行われる。なお、本実施形態では、ファンユニット８の風量は、毎分０．８ｍ３（弱）と、毎分１．４ｍ３（強）の２段階に調節可能とされている。
【００４７】
以下、上着１とファンユニット８による送風との関係について説明する。本実施形態では、上述のように、ファンユニット８の吸気口８６０は表地２の外側に配置され、排気口８８０は表地２と裏地３の間に配置される。モータ８２が駆動され、ファン８３が回転されると、吸引された外気は、吸気口８６０を通ってハウジング８４内へ流入する。流入した外気は、排気口８８０を通って前方および回転軸Ａ１に交差する方向に流出する。つまり、表地２と裏地３の間に外気が送出される。
【００４８】
従来の通気衣服等と称される衣服に関しては、着用者の身体と衣服の生地（裏地がない衣服では表地、裏地がある衣服では裏地）との間の空間で外気を流動させることで、着用者の汗を蒸発させて熱を奪うことに主眼が置かれている。このため、衣服の末端部（例えば、上着やズボンの裾、前立て、襟元、袖口等）をファスナ等で閉じたりゴムで絞ったりすることで、身体と生地の間に外気が流動可能な空間を保つことが一般的である。これにより、着用時の動きやすさや、着用態様の自由度が損なわれやすい。
【００４９】
これに対し、本実施形態の発明者らは、従来とは異なる次の２点に着目し、本実施形態の上着１を構成している。１点は、ファンユニット８によって表地２と裏地３の間に送出された外気によって内部空間１０の圧力を大気圧よりも上昇させて裏地３を表地２から離れる方向に膨らませ（つまり、表地２と裏地３との間の距離を増大させ）、裏地３の少なくとも一部を着用者の身体に接触させて汗を吸収させ、表地２と裏地３の間で流動する外気によって、この汗を蒸発させるという点である。この場合、裏地３の身体に接触している部分で効率的な熱交換が行われ、着用者は、冷感を得ることができる。また、もう１点は、裏地３の比較的広い領域を通して内部空間１０から外気を緩やかに流出させることで、身体からの放熱を促すという点である。
【００５０】
この着目点に基づき、発明者らは、非着用状態の上着１においてファンユニット８が送風を行った場合の、表地２と裏地３の間に形成される内部空間１０の圧力（以下、単に内圧ともいう）とファンユニット８の風量との適切な関係を見出した。
【００５１】
まず、内圧は、内部空間１０における外気の流れを妨げる力（圧力損失、送風抵抗）に概ね対応すると考えられる。圧力損失は、風量の二乗に比例することが知られている。そこで、発明者らは、内圧Ｐ（Ｐａ）と風量Ｑ（ｍ３／ｍｉｎ）との間に、Ｐ＝Ｋ・Ｑ２（Ｋは係数）という関係式（近似式）が成立しうるとの観点から、係数Ｋについて鋭意検討した。なお、係数Ｋは、所定の（無次元）定数（Ｃｏｎｓｔａｎｔ）である。
【００５２】
その結果、係数Ｋが１．１以上であることが好ましいことを特定し、風量Ｑと内圧Ｐとが、Ｐ≧１．１Ｑ２という関係を満たす場合に、風量Ｑに応じて好ましい内圧Ｐ、つまり、裏地３を着用者の身体に接触させやすくなるだけの内圧Ｐが得られることを見出した。なお、一定の風量Ｑで送風を行った場合、裏地３が最大限膨らむまでは内圧Ｐは徐々に上昇するため、ここでいう内圧Ｐは、風量Ｑにおける最大の内圧に対応している。また、係数Ｋは、１．４倍以上であると好ましく、２．０倍以上であるとより好ましく、３．０倍以上であると更に好ましい。つまり、風量Ｑと内圧Ｐとが、Ｐ≧１．４Ｑ２という関係を満たすことが好ましく、Ｐ≧２．０Ｑ２という関係を満たすことがより好ましく、Ｐ≧３．０Ｑ２という関係を満たすことが更に好ましい。
【００５３】
本実施形態の上着１に関し、発明者らは、差圧式流量計を用いて風量を測定しつつ、非着用状態で吊るされた上着１の取付け開口２１１から、内部空間１０へ送風を行った。そして、このときの内圧（ゲージ圧（大気圧を基準とした圧力））を、後身頃２１の中央下部（腰部あたり）の表地２と裏地３の間に配置された圧力計を用いて測定した。この結果、風量が毎分０．８６ｍ３のときの内圧は６．０Ｐａ、風量が毎分１．１６ｍ３のときの内圧は８．６Ｐａ、風量が毎分１．６３ｍ３のときの内圧は１３．３Ｐａ、風量が毎分２．１６ｍ３のときの内圧は１９．２Ｐａ、風量が毎分２．５６ｍ３のときの内圧は２３．７Ｐａであった。この結果が、関数Ｐ＝１．１Ｑ２、Ｐ＝１．４Ｑ２、Ｐ＝２．０Ｑ２、Ｐ＝３．０Ｑ２のグラフとともに、図７にダイヤ型のマーカでプロットされている。図７に示すように、本実施形態の上着１によれば、内圧Ｐと風量Ｑは、Ｐ≧３．０Ｑ２という関係を満たしており、ファンユニット８の風量Ｑが毎分０．８ｍ３（弱）に設定された場合でも、比較的高い内圧Ｐを得ることができることがわかる。
【００５４】
更に、発明者らは、次のような手順で、内圧Ｐと、表地２と裏地３との間の最大距離Ｄとの関係についても特定した。まず、ファンユニット８がファン取付け部２１２に取り付けられ、スライドファスナ２３１が開かれて左身頃と右身頃とが分かれた状態の上着１を広げ（図２参照）、表地２が下側、裏地３が上側となるように概ね水平な平面（床）に載置した。そして、ファンユニット８によって送風を行い、後身頃２１の中央下部（腰部あたり）の表地２と裏地３の間に配置された圧力計を用いて特定された内圧Ｐにおける表地２と裏地３との間の最大距離Ｄを測定した。この結果、内圧Ｐが０．４０Ｐａ、０．７２Ｐａ、０．９０Ｐａ、１．０９Ｐａ、１．５２Ｐａであるときの最大距離Ｄは、夫々、３．０ｃｍ、５．５ｃｍ、８．０ｃｍ、１３．０ｃｍ、１６．５ｃｍであった。
【００５５】
この結果から、内圧Ｐと風量Ｑの関係がＰ≧１．１Ｑ２の関係を満たす場合には、風量Ｑが少なくとも毎分０．８ｍ３であれば、概ね５．５ｃｍ以上の最大距離Ｄが得られると考えられ、内圧Ｐと風量Ｑの関係がＰ≧１．４Ｑ２の関係を満たす場合には、風量Ｑが少なくとも毎分０．８ｍ３であれば、概ね８．０ｃｍ以上の最大距離Ｄが得られると考えられる。また、内圧Ｐと風量Ｑの関係がＰ≧２．０Ｑ２の関係を満たす場合には、風量Ｑが毎分０．６ｍ３であれば概ね５．５ｃｍ以上の最大距離Ｄが得られ、風量Ｑが毎分０．７ｍ３であれば８．０ｃｍ以上の最大距離Ｄが得られると考えられる。更に、内圧Ｐと風量Ｑの関係がＰ≧３．０Ｑ２の関係を満たす場合には、風量Ｑが毎分０．５ｍ３であれば５．５ｃｍ以上の最大距離Ｄが得られ、風量Ｑが毎分０．６ｍ３であれば８．０ｃｍ以上の最大距離Ｄが得られると考えられる。
【００５６】
内圧Ｐが同じである場合、実際に着用者が上着１を着用した場合の表地２と裏地３との間の距離は、上述のように測定された最大距離Ｄよりも短くなると考えられるが、最大距離Ｄが少なくとも５．５ｃｍであれば、平均的な体型（身長および胸囲）の成人男性の場合には、裏地３（特に、後身頃２１を覆う領域）の一部を着用者の身体に密着させることができることが確認された。更に、最大距離Ｄが少なくとも８．０ｃｍであれば、裏地３（特に、後身頃２１を覆う領域）のより広い範囲を着用者の身体に確実に密着させることができること、また、平均的な成人男性よりも小柄な（身長および胸囲が小さい）着用者にも対応可能であることが確認された。実施形態の上着１に関しては、上述のように、内圧Ｐと風量Ｑは、Ｐ≧３．０Ｑ２という関係を満たしており、ファンユニット８の風量Ｑが毎分０．８ｍ３（弱）に設定された場合でも、内圧Ｐは少なくとも１．９２Ｐａとなる。よって、最大距離Ｄは１６．５ｃｍ以上となるため、裏地３を十分に着用者の身体に密着させ、着用者の身体を効果的に冷却することができることがわかる。
【００５７】
また、本実施形態の上着１では、裏地３は、主領域３１と、主領域３１よりも通気度の高い排気領域３２とを含んでいる。特に、本実施形態では、排気領域３２がメッシュ生地、主領域３１が綾織生地で構成されており、排気領域３２の通気度は主領域３１よりも大幅に高い。このため、内部空間１０に送出された外気は、排気領域３２から流出しやすく、内部空間１０における外気の流動性も確保される。よって、排気領域３２から流出した外気が首筋、両脇の下、両腕の付け根の背中側の部分、および胸部（鳩尾およびその上部）に直接当たることで、着用者に冷感を与えるとともに、熱がこもった身体を効果的に冷却することができる。また、内部空間１０で流動する外気が裏地３に吸収された汗を効果的に蒸発させることができる。更に、主領域３１は、内圧Ｐを維持可能でありつつも外気のある程度の通過を許容する生地で構成されているため、主領域３１のうち、着用者の身体に密着していない領域を通過する外気によって身体の放熱を促進することによっても着用者に冷感を与えることができる。
【００５８】
また、本実施形態では、表地２の通気度は比較的低いことから、内部空間１０に送出された外気が表地２を通して外部に流出することが抑制されている。これにより、内圧Ｐを良好に維持しつつ、外気を排気領域３２および主領域３１から優先的に流出させることができる。また、両脇の下および背中側の腕の付け根の近傍に設けられた排気領域３２から流出した外気を、袖２５内を通過させ、袖口から流出させることで、腕を冷却することもできる。なお、袖２５の袖口近傍には、外気を排気するための開口が形成されていてもよい。
【００５９】
更に、本実施形態の上着１では、前身頃２３のスライドファスナ２３１を全開し、前を開けた状態（つまり、胸部や腹部が前身頃２３に覆われない状態）で上着を着用した場合でも、内圧は良好に維持される。これにより、従来のいわゆる通気衣服等に比べ、着用時の動きやすさや着用態様の自由度を向上することができる。具体的には、上着１の前を閉めた状態で着用できるのみならず、前を開けた状態で、引き紐２９で裾を絞らずに使用することもできる。これにより、着用時の圧迫感も解消することができる。更に、本実施形態の上着１は、裏地３のうち縁部（縫合部）３０に囲まれた領域の面積は、表地２のうち縁部３０に囲まれた領域の概ね１．１倍とされており、外観に影響する表地２よりも、裏地３の方が身体側に膨らみやすい構成とされている。このため、裏地３を効率的に身体側に膨らませて身体に接触させやすくするとともに、上着１の見栄えも良好に保つことができる。
【００６０】
上記実施形態は単なる例示であり、本発明に係る衣服および送風装置は、例示された上着１およびファンユニット８の構成に限定されるものではない。
【００６１】
例えば、上述の係数Ｋに影響を与える因子として、表地２および裏地３の特性（通気度、目付け、密度、伸び率、繊維の種類、組織の種類等）が挙げられる。よって、上記実施形態の例示に限らず、係数Ｋが１．１以上である限りにおいて、表地２および裏地３は適宜変更することが可能である。以下に、表地２および裏地３が保有しうる特性について例示する（但し、以下の例に限定されるものではない）。
【００６２】
表地２としては、化学繊維（例えば、ポリエステル繊維、アラミド繊維、ポリフェニレンスルフィド繊維、アクリル繊維、ナイロン繊維、レーヨン繊維、アセテート繊維、ポリウレタン繊維、ポリエーテルエステル繊維等）、天然繊維（綿、ウール、絹等）、またはこれらを複合した繊維を含む生地（織物、編物、不織布等）を採用することができる。表地２は、ＪＩＳ  Ｌ１０９６―１９９８  ６．２７通気性Ａ法（フラジール法）により測定した通気度が、通常０．０１〜４０ｃｃ／ｃｍ２／ｓの範囲内であり、好ましくは０．０５〜２０ｃｃ／ｃｍ２／ｓの範囲内であり、より好ましくは０．０５〜１０ｃｃ／ｃｍ２／ｓの範囲内である。なお、実施形態で例示したように、表地２の通気度は、裏地３（主領域３１）の通気度よりも低いことが好ましい。また、できるだけ少ない風量で裏地３を膨らませるためには、表地２の通気度を上記範囲内で比較的低い値に設定することが好ましい。表地２の目付けは、上記の通気度を満たすように調整することができ、通常、５０〜３００ｇ／ｍ２の範囲内であり、好ましくは７０〜２５０ｇ／ｍ２の範囲内である。また、表地２には、耐水性と透湿性に優れた生地が採用されることが好ましい。
【００６３】
裏地３についても、表地２と同様、化学繊維、天然繊維、またはこれらを複合した繊維を含む生地（織物、編物、不織布等）を採用することができる。主領域３１の通気度は、通常１〜５０ｃｃ／ｃｍ２／ｓの範囲内であり、好ましくは、１０〜３０ｃｃ／ｃｍ２／ｓの範囲内であり、より好ましくは、１５〜２５ｃｃ／ｃｍ２／ｓの範囲内である。なお、できるだけ少ない風量で内圧を高め、裏地３を膨らませるためには、主領域３１の通気度を上記範囲内で比較的低い値に設定することが好ましい。一方、主領域３１を通して身体側に流出する外気によって、身体からの放熱を促進するためには、通気度が低すぎないことが好ましい。主領域３１の通気度が、１０〜３０ｃｃ／ｃｍ２／ｓの範囲内である場合は、送風量をそれほど大きくしなくても、裏地３の少なくとも一部が着用者の身体に接触しつつ、主領域３１を通して外気が身体側に十分に流出するので、裏地３と身体（または肌着）との接触部分における効率的な熱交換と、身体の広範囲からの放熱との両方をより確実に実現することができ、効果的に着用者の身体を冷却することができる。
【００６４】
排気領域３２は、主領域３１よりも通気度が高ければよく、メッシュ生地以外の平織、綾織等の公知の織編地で構成されていてもよいし、生地で覆われない開口で構成されていてもよい。この場合、開口は、裏地３の縁部３０の一部が表地２に対して開閉可能な状態で取り付けられることで形成されていてもよい。開口は、例えば、スライドファスナ、面ファスナ、スナップボタン等によって開閉可能とすることができる。また、排気領域３２は、必ずしも、上記実施形態のように、着用者の首筋、両脇の下、両腕の付け根の背中側の部分、および胸部に夫々対向する領域の全てに設けられる必要はない。排気領域３２は、少なくとも１つであってもよいし、省略されてもよい。なお、排気領域３２が省略される場合には、排気領域３２が設けられる場合よりも裏地３の通気度を高くすることが好ましい。この場合、裏地３（主領域３１）全体を通過する外気によって身体の広範囲からの放熱を促進することで、効果的な冷却を行うことができる。
【００６５】
また、主領域３１に対する排気領域３２の面積比率も、適宜変更されてよい。なお、着用者に当たる風の風速が大きいほど冷感が高まることが知られている。ファンユニット８が同じ風量で送風を行ったときの風速は、各排気領域３２の面積を小さくするほど大きくなる。よって、できるだけ少ない風量で効果的に着用者の特定の部位を冷却するには、主領域３１に対する排気領域３２の面積比率や各排気領域３２の面積は、比較的小さいことが好ましい。更に、主領域３１の通気度を上記範囲内に設定することで、内部空間１０に送出された外気を主領域３１からも緩やかに流出させて身体の広範囲からの放熱を促進し、冷感をより高めることができる。
【００６６】
また、主領域３１の目付けは通常、３０〜１５０ｇ／ｍ２の範囲内であり、好ましくは、４０〜１２０ｇ／ｍ２の範囲内であり、より好ましくは５０〜９０ｇ／ｍ２の範囲内である。裏地３のうち、少なくとも主領域３１を構成する生地は、吸水性および速乾性に優れることが好ましい。
【００６７】
上記実施形態では、上着１は袖２５付きの上衣であって、裏地３が後身頃２１と前身頃２３の内面の概ね全体を覆っている。しかし、裏地３は、後身頃２１の内面のみを覆うように取り付けられていてもよいし、後身頃２１および前身頃２３に加えて袖２５の内面を覆うように取り付けられてもよい。なお、表地２のうち、表地２と裏地３との縫合部（縁部３０）に囲まれた領域の面積と裏地３の面積との関係は、通常、裏地３の面積が、表地２の上記領域の面積の１倍以上であればよく、好ましくは、１．１〜２倍である。裏地３の表地２に対する取付け方法は、縫合に限られず、接着剤による接着や超音波溶着等が採用されてもよい。
【００６８】
また、本発明の衣服は、例えば、フード付きの上衣、袖無しの上衣（所謂ベスト）、上衣とズボンがつながった所謂つなぎ服、またはズボンとしても好適に実現することができる。上衣およびつなぎ服に関しては、裏地３は、表地２の後身頃２１の少なくとも一部（好ましくは半分以上、より好ましくは概ね全域）を覆うように取り付けられることが好ましい。なお、衣服の用途は特に限定されるものではなく、作業着、スポーツウェア、レジャーウェア、消防服、防護服、手術着等として実現されうる。
【００６９】
ここで、図８および図９を参照して、上着１の一変形例に係るベスト１００について説明する。図８および図９に示すように、ベスト１００は、上着１（図２参照）と同様に、表地２００と裏地３００とを備えている。但し、上着１とは異なり、表地２００は、後身頃２１および前身頃２３のみを有し、袖は有していない。裏地３００は、上着１と同様、後身頃２１および前身頃２３全体を覆うように、縁部３０の全体が表地２に縫い付けられている。但し、上着１とは異なり、裏地３００には、両腕の付け根の背中側の部分に対応した排気領域３２は設けられていない。上着１におけるこれらの排気領域３２は、袖２５内へ外気を送出するために設けられているのに対し、袖なしのベスト１００ではその必要性は低いからである。ベスト１００のその他の構成については、上着１と同一である。
【００７０】
なお、上述のように、衣服の末端部（上着の裾や袖口等）をファスナ等で閉じたりゴムで絞ったりすることで身体と生地の間に外気が流動可能な空間を保つ従来の構造では、ベスト１００のような袖無しの上衣を実現することが難しかった。これに対し、裏地３００と表地２００の間の内部空間１０の圧力を利用することで、ベスト１００においても効果的に着用者の身体を冷却することができる。また、ベスト１００は、袖がないことで、着用時の圧迫感を更に低減し、動きやすさを向上させることができる。
【００７１】
以下に、上着１の更なる変形例としての上着１０２およびベスト１０４と、上着１、上着１０２およびベスト１０４に対する比較例としての上着１０９（いずれも図示は省略）について説明する。
【００７２】
上着１０２は、図２に示す上着１と同じ構成を有する前開きの長袖の上衣として構成されている。つまり、上着１０２は、後身頃、前身頃および袖を含む表地と、前身頃と後身頃の全体を覆うように取り付けられ、主領域と排気領域とを含む裏地とを備え、ファンユニット８が着脱可能に構成されている。但し、上着１０２の表地の特性は、上着１の表地２とは異なっている。具体的には、上着１０２の表地は、綿の織物であって、その経密度は１２０本／２．５４ｃｍ、緯密度は１１０本／２．５４ｃｍである。また、表地の目付けは１５５ｇ／ｍ２である。更に、ＪＩＳ  Ｌ１０９６―１９９８  ６．２７通気性Ａ法（フラジール法）により測定した通気度は、６．９ｃｃ／ｃｍ２／ｓである。上着１０２の裏地（主領域および排気領域）の種類、密度、目付けおよび通気度は、上着１の裏地３と同じである。
【００７３】
ベスト１０４は、図９に示すベスト１００と同じ構成を有する袖なしの上衣として構成されている。つまり、ベスト１０４は、後身頃および前身頃を含む表地と、前身頃と後身頃の全体を覆うように取り付けられ、主領域と排気領域とを含む裏地とを備え、ファンユニット８が着脱可能に構成されている。なお、両腕の付け根の背中側の部分には対応した排気領域が設けられていない点も、ベスト１００と同様である。ベスト１０４の表地は、ポリエステルの織物であって、その経密度は２４９本／２．５４ｃｍ、緯密度は１０３本／２．５４ｃｍである。また、表地の目付けは１０３ｇ／ｍ２である。更に、ＪＩＳ  Ｌ１０９６―１９９８  ６．２７通気性Ａ法（フラジール法）により測定した通気度は、０．３ｃｃ／ｃｍ２／ｓである。ベスト１０４の裏地（主領域および排気領域）の種類、密度、目付けおよび通気度は、上着１の裏地３と同じである。
【００７４】
比較例に係る上着１０９は、前開きの長袖の上衣として構成されており、後身頃、前身頃および袖を含む表地と、表地に取り付けられた裏地とを備え、ファンユニット８が着脱可能に構成されている。但し、上着１０９の裏地は、後身頃のみを覆うように表地に接合されている。上着１０９の表地の種類、密度、目付けおよび通気度は、上着１の表地２と同じである。上着１０９の裏地は、ポリエステルのメッシュ生地であって、ＪＩＳ  Ｌ１０９６―１９９８  ６．２７通気性Ａ法（フラジール法）により測定したその通気度は、１７０．７ｃｃ／ｃｍ２／ｓである。なお、上着１０９の裏地は、通気度が非常に高いメッシュ生地で全体が形成されており、上着１の主領域３１と排気領域３２のように、通気度の異なる複数の領域を含んでいない。
【００７５】
発明者らは、上着１の変形例に係る上着１０２およびベスト１０４と、比較例に係る上着１０９についても、上着１と同様に、差圧式流量計を用いて風量を測定しつつ、ファンユニット８によって表地と裏地の間に形成された内部空間へ送風を行い、このときの内圧（ゲージ圧）を測定した。
【００７６】
上着１０２に関しては、風量が毎分０．６９ｍ３のときの内圧は４．４Ｐａ、風量が毎分１．１６ｍ３のときの内圧は６．３Ｐａ、風量が毎分１．５８ｍ３のときの内圧は９．９Ｐａ、風量が毎分１．９４ｍ３のときの内圧は１５．６Ｐａ、風量が毎分２．３５ｍ３のときの内圧は２０．５Ｐａであった。
【００７７】
ベスト１０４に関しては、風量が毎分１．１６ｍ３のときの内圧は８．２Ｐａ、風量が毎分１．６１ｍ３のときの内圧は１２．７Ｐａ、風量が毎分１．９７ｍ３のときの内圧は１６．１Ｐａ、風量が毎分２．３２ｍ３のときの内圧は２０．０Ｐａ、風量が毎分２．５４ｍ３のときの内圧は２３．５Ｐａであった。
【００７８】
上着１０９に関しては、風量が毎分０．５２ｍ３のときの内圧は０．７Ｐａ、風量が毎分１．１５ｍ３のときの内圧は１．０Ｐａ、風量が毎分１．７０ｍ３のときの内圧は０．６Ｐａ、風量が毎分２．０３ｍ３のときの内圧は０．５Ｐａ、風量が毎分２．４８ｍ３のときの内圧は０．２Ｐａであった。
【００７９】
これらの結果が、関数Ｐ＝１．１Ｑ２、Ｐ＝１．４Ｑ２、Ｐ＝２．０Ｑ２、Ｐ＝３．０Ｑ２のグラフ、および、上述した上着１の測定結果とともに、図１０にプロットされている。図１０に示すように、本実施形態の上着１と同様、上着１０２およびベスト１０４については何れも、内圧Ｐと風量Ｑが、Ｐ≧３．０Ｑ２という関係を満たしている。このことから、上着１０２およびベスト１０４においても、ファンユニット８の風量Ｑが毎分０．８ｍ３（弱）に設定された場合でも、比較的高い内圧Ｐを得ることができることがわかる。よって、上着１０２およびベスト１０４でも、上着１と同様、ファンユニット８の駆動に応じて裏地が表地から離れる方向に膨らんで着用者の身体に接触することで、効率的な熱交換を実現することができる。また、裏地を通して緩やかに流出する外気によって、着用者の身体からの放熱を効果的に促すことができる。
【００８０】
一方、比較例の上着１０９に関しては、風量が大きくなっても内圧が高まらない。より詳細には、実際に測定が行われた毎分０．５２ｍ３から毎分２．４８ｍ３までの風量範囲内において、内圧は最大でも１パスカルであって、全体としては１パスカル以下で概ね横這いである。これは、裏地の通気度が１７０．７ｃｃ／ｃｍ２／ｓと高く、内部空間に送出された外気が、裏地を容易に通過してしまうためである。なお、裏地の通気度が５０ｃｃ／ｃｍ２／ｓを超えると、内部空間に送出された外気が容易に裏地を通過してしまい、内圧を十分に高めるのが難しくなることから、上述のように、裏地（主領域と排気領域を含む場合は主領域）の通気度の好ましい上限は５０ｃｃ／ｃｍ２／ｓとされている。このように、比較例に係る上着１０９では、ファンユニット８によって送風が行われても、内圧が十分に高まらないため、裏地を表地から離れる方向に膨らませにくい。また、ファンユニット８から内部空間に送出された外気は、排気口８８０の近傍で、着用者の身体側へと裏地を容易に通過することができるため、内部空間全域に外気を流動させにくい。よって、上着１０９が上着１、上着１０２、ベスト１０４のような効果を発揮することは難しい。
【００８１】
ファンユニット８の構成についても、適宜、変更されてよい。例えば、モータ８２として、より小型で高出力なブラシレスモータが採用されてもよい。ファン８３の径や羽根８３１の数が変更されてもよい。かかる変更に伴い、ファンユニット８の風量も変動しうる。ファンユニット８の風量は、必ずしも２段階で調節可能である必要はない。つまり、ファンユニット８の風量（モータ８２の回転数）は一定であってもよいし、３段階以上で調節可能であっても、無段階で調節可能であってもよい。なお、裏地３を十分に膨らませる内圧をより確実に達成するとの観点からは、ファンユニット８の風量は、毎分０．５ｍ３以上に設定可能であることが好ましく、毎分０．８ｍ３以上に設定可能であることがより好ましい。なお、風量の調節の指示は、操作ボタン９６５以外の操作部材（ダイアル等）を介して入力されてもよいし、バッテリホルダ９６とは別体として設けられた操作ユニットに配置されていてもよい。また、モータ８２の駆動制御（ファン８３の風量制御）を行うコントローラは、バッテリホルダ９６ではなく、ファンユニット８に配置されていてもよい。
【００８２】
なお、ファンユニット８は、１つのハウジング８４内に複数のファン８３が収容された構成であってもよい。この場合、ファン８３の数に対応して、モータ８２も複数設けられていてもよい。つまり、本発明の送風装置は、少なくとも１つのファンと、少なくとも１つのモータと、少なくとも１つのファンおよび少なくとも１つのモータを収容するとともに、表地に着脱可能なハウジングとを備えていればよい。
【００８３】
また、ファンユニット８の表地２に対する取付け方法は、上記実施形態の例に限られない。例えば、ハウジング８４（筒状部８５）およびリング部材８９の一方に可撓性を有する係止片が設けられ、他方に係止片が係止可能な凹部が設けられていてもよい。この場合、リング部材８９がハウジング８４に対して回転軸Ａ１方向に嵌め込まれ、係止片が凹部に係止することで、取付けが完了する。あるいは、ハウジング８４（筒状部８５）の外周面にＬ字状のガイド溝が設けられ、リング部材８９の内周面にガイド溝に係合可能な突起が設けられていてもよい。この場合、突起がガイド溝内に配置された状態で、リング部材８９がハウジング８４に対して回転軸Ａ１方向に嵌め込まれ、更に、周方向に回転されることで、取付けが完了する。また、ファンユニット８の取付け位置（ファン取付け部２１２）が、後身頃２１に代えて前身頃２３に設けられてもよい。また、ハウジング８４が回転軸Ａ２方向に２つの部分に分離可能であって、これら２つの部分が取付け部２１２を挟持した状態で係合されてもよい。
【００８４】
ファンユニット８の取付け位置や取付け可能な数についても、適宜、変更が可能である。例えば、ファンユニット８は、前身頃に着脱可能であってもよい。取付け可能なファンユニット８の数は、１であってもよいし、３以上であってもよい。
【００８５】
上記実施形態および変形例の各構成要素と本発明の各構成要素の対応関係を以下に示す。上着１、１２０、ベスト１００、１０４は、本発明の「衣服」の一例である。ファンユニット８、吸気口８６０、排気口８８０は、夫々、本発明の「送風装置」、「吸気口」、「排気口」の一例である。表地２、２００、裏地３、３００は、夫々、本発明の「表地」、「裏地」の一例である。ファン取付け部２１２は、本発明の「取付け部」の一例である。内部空間１０は、本発明の「内部空間」の一例である。主領域３１、排気領域３２は、夫々、本発明の「第１領域」、「第２領域」の一例である。
【００８６】
本発明および上記実施形態の趣旨に鑑み、以下の態様が構築される。以下の態様のうち少なくとも１つが、単独で、または、上述の実施形態、変形例、もしくは各請求項に記載された発明と組み合わされて採用されてもよい。
［態様１］
前記表地の通気度は、前記裏地の通気度よりも低くてもよい。
［態様２］
前記表地の通気度は、前記裏地の前記第１領域の前記第１の通気度よりも低くてもよい。
これらの態様によれば、内部空間に送出された外気が表地を通して外部に流出することを抑制するため、内部空間の圧力を良好に維持しつつ、外気を裏地から優先的に流出させることができる。なお、ＪＩＳ  Ｌ１０９６―１９９８  ６．２７通気性Ａ法（フラジール法）により測定した表地の通気度は、０．０１〜４０ｃｃ／ｃｍ２／ｓの範囲内であるとよく、好ましくは０．０５〜２０ｃｃ／ｃｍ２／ｓの範囲内であり、より好ましくは０．０５〜１０ｃｃ／ｃｍ２／ｓの範囲内である。
［態様３］
前記裏地のうち、前記表地と前記裏地との接合部に囲まれた第１領域の面積は、前記表地のうち前記接合部に囲まれた第２領域の面積以上であるとよい。
表地の第２領域の面積の方が裏地の第１領域の面積よりも大きいと、表地が外側に膨らみやすい。これに対し、本態様によれば、内部空間に送出された外気によって、裏地を表地から離れる方向に膨らませ、裏地の少なくとも一部を身体に接触させやすくすることができる。なお、第１領域の面積が第２領域の面積よりも大きい場合には、特に効果的である。
［態様４］
前記表地は、前記取付け部を有する後身頃と、前身頃とを含み、
前記裏地は、少なくとも前記後身頃の一部を覆うように前記表地に取り付けられており、
前記後身頃を下、前記裏地を上にした状態で前記衣服を概ね水平な平面に載置し、前記内部空間に前記送風装置で送風を行った場合に、前記圧力が０．７２Ｐａであるときの前記表地と前記裏地の最大距離が、少なくとも５．５ｃｍであってもよい。
本態様によれば、内部空間の圧力を０．７２Ｐａまで高めることで、裏地の少なくとも一部を着用者の身体に密着させることができる。
［態様５］
態様４において、前記圧力が０．９０Ｐａであるときの前記表地と前記裏地の最大距離が、少なくとも８．０ｃｍであってもよい。
本態様によれば、内部空間の圧力を０．９０Ｐａまで高めることで、裏地のより広い領域を着用者の身体により確実に密着させることができる。
［態様６］
吸気口と排気口とを有する送風装置が着脱可能な衣服において、
後身頃と前身頃とを少なくとも含む表地と、
少なくとも前記後身頃の一部を覆うように、前記表地に取り付けられた裏地とを備え、
前記後身頃は、前記吸気口および前記排気口が前記表地の外側および前記裏地側に夫々配置された状態で前記送風装置が取り付けられる取付け部を有し、
前記表地と前記裏地の間には、前記送風装置の駆動によって前記排気口から送出された外気が流動可能な内部空間が形成されており、
前記送風装置は、毎分０．５ｍ３以上の風量の外気を送出可能であって、
前記衣服は、前記後身頃を下、前記裏地を上にした状態で前記衣服を概ね水平な平面に載置し、前記送風装置によって毎分０．８ｍ３の風量で前記内部空間に前記外気が送出されたときの前記内部空間を形成する前記表地と前記裏地との間の最大距離が、少なくとも５．５ｃｍとなるように構成されていてもよい。
本態様によれば、比較的少ない毎分０．８ｍ３の風量でも、裏地の少なくとも一部を着用者の身体に密着させることができる。
［態様７］
態様６の衣服において、前記最大距離は、少なくとも８．０ｃｍとなるように構成されていてもよい。
本態様によれば、比較的少ない毎分０．８ｍ３の風量でも、裏地のより広い領域を着用者の身体により確実に密着させることができる。
［態様８］
態様６または態様７の衣服において、
前記後身頃を下、前記裏地を上にした状態で前記衣服を概ね水平な平面に載置し、前記送風装置が毎分０．５ｍ３の風量で前記内部空間に前記外気を送出したときの前記最大距離が、少なくとも５．５ｃｍとなるように構成されていてもよい。
本態様によれば、比較的少ない毎分０．５ｍ３の風量でも、裏地の少なくとも一部を着用者の身体に密着させることができる。
［態様９］
態様８の衣服において、前記後身頃を下、前記裏地を上にした状態で前記衣服を概ね水平な平面に載置し、前記送風装置が毎分０．６ｍ３の風量で前記内部空間に前記外気を送出したときの前記最大距離が、少なくとも８．０ｃｍとなるように構成されていてもよい。
本態様によれば、比較的少ない毎分０．６ｍ３の風量でも、裏地のより広い領域を着用者の身体により確実に密着させることができる。
［態様１０］
前記衣服は、後身頃と前身頃とを少なくとも含む上着であって、
前記前身頃は、右前身頃と左前身頃とが、分離可能に接合されていてもよい。
本態様によれば、前身頃を左右に分離した状態（つまり、前を開けた状態）で着用することが可能となるため、着用時の動きやすさや着用態様の自由度を向上することができる。なお、右前身頃と左前身頃は、例えば、スライドファスナ、面ファスナ、スナップボタン等によって分離可能に接合することができる。
［態様１１］
前記衣服は、後身頃と前身頃とを含む袖なしの上着であってもよい。
本態様によれば、衣服の着用時の圧迫感を更に低減し、動きやすさを更に向上させることができる。
［態様１２］
前記裏地には、吸水加工が施されていてもよい。
本態様によれば、着用者の身体に接触した裏地で汗を速やかに吸収し、表地と裏地の間で流動する外気によって、この汗を蒸発させることができるため、冷却効果をより一層高めることができる。
［態様１３］
前記第２領域は、少なくとも１つ設けられており、全体として、前記第１領域の面積の１０パーセント以下の面積を有していてもよい。
本態様によれば、好適な内圧を維持しつつ、着用者の特定の部位を選択的に冷却することができる。
【符号の説明】
【００８７】
１：上着
１０：内部空間
２：表地
２１：後身頃
２１１：取付け開口
２１２：ファン取付け部
２３：前身頃
２３１：スライドファスナ
２５：袖
２５１：ストラップ
２９：引き紐
３：裏地
３０：縁部
３０１：開口
３０２：スライドファスナ
３０４：ポケット
３０６：開口
３１：主領域
３２：排気領域
８：ファンユニット
８１：本体部
８２：モータ
８３：ファン
８３１：羽根
８４：ハウジング
８５：筒状部
８６：吸気部
８６０：吸気口
８６１：閉塞部
８６３：第１リブ
８６４：第２リブ
８７：フランジ部
８８：排気部
８８０：排気口
８８１：閉塞部
８８３：第１リブ
８８４：第２リブ
８８５：第３リブ
８８７：コネクタ配置領域
８８８：コネクタ
８９：リング部材
８９１：筒状部
８９３：フランジ部
９１：ケーブル
９１１：コネクタ
９１３：コネクタ
９５：バッテリ
９６：バッテリホルダ
９６１：ケーブル
９６２：コネクタ
９６３：クリップ
９６５：操作ボタン
【図１】
2019127675.tif 000003
【図２】
2019127675.tif 000004
【図３】
2019127675.tif 000005
【図４】
2019127675.tif 000006
【図５】
2019127675.tif 000007
【図６】
2019127675.tif 000008
【図７】
2019127675.tif 000009
【図８】
2019127675.tif 000010
【図９】
2019127675.tif 000011
【図１０】
2019127675.tif 000012
【手続補正書】
【提出日】令和1年6月6日(2019.6.6)
【手続補正１】
【補正対象書類名】特許請求の範囲
【補正対象項目名】全文
【補正方法】変更
【補正の内容】
【特許請求の範囲】
【請求項１】
衣服であって、
吸気口と排気口とを有する送風装置と、
表地と、
前記表地に取り付けられた裏地とを備え、
前記表地は、前記吸気口および前記排気口が前記表地の外側および前記裏地側に夫々配置された状態で前記送風装置が着脱可能な取付け部を有し、
前記表地と前記裏地の間には、前記送風装置の駆動によって前記排気口から送出された外気が流動可能な内部空間が形成されており、
前記内部空間は、前記衣服が非着用状態で、前記送風装置によって風量Ｑ（１分当たりの立方メートル：ｍ３／ｍｉｎ）で前記内部空間に前記外気が送出された場合に、前記風量Ｑと前記内部空間の圧力Ｐ（パスカル：Ｐａ）とが、Ｐ≧１．１Ｑ２という関係を満たすように構成されていることを特徴とする衣服。
【請求項２】
請求項１に記載の衣服であって、前記内部空間は、前記風量Ｑと前記圧力Ｐとが、Ｐ≧１．４Ｑ２という関係を満たすように構成されていることを特徴とする衣服。
【請求項３】
請求項１または２に記載の衣服であって、
前記衣服は、非着用状態で前記送風装置によって前記内部空間に前記外気が送出された場合の前記内部空間の圧力が、前記送風装置が送風可能な風量範囲内の何れかの風量において、少なくとも５パスカルとなるように構成されていることを特徴とする衣服。
【請求項４】
請求項１〜３の何れか１つに記載の衣服であって、
前記裏地は、第１領域と、前記第１領域よりも通気度が高い第２領域とを含むことを特徴とする衣服。
【請求項５】
請求項４に記載の衣服であって、
ＪＩＳ  Ｌ１０９６―１９９８  ６．２７通気性Ａ法（フラジール法）により測定した前記第１領域の通気度が、１〜５０ｃｃ／ｃｍ２／ｓの範囲内であることを特徴とする衣服。
【請求項６】
請求項４または５に記載の衣服であって、
前記第２領域は、メッシュ生地で構成されており、
前記第１領域は、前記メッシュ生地以外の織物、編物または不織布で構成されていることを特徴とする衣服。
【請求項７】
請求項４〜６の何れか１つに記載の衣服であって、
前記第２領域は、前記裏地のうち、前記衣服の着用時に着用者の首周り、腕の付け根周り、および胸部のうち少なくとも１つに対応する領域であることを特徴とする衣服。
【請求項８】
請求項１〜７の何れか１つに記載の衣服であって、
前記裏地の縁部は、前記表地に対して全体が開放不能な状態、または一部が開閉可能な状態で前記表地に取り付けられていることを特徴とする衣服。
【請求項９】
請求項１〜８の何れか１つに記載の衣服であって、
前記衣服が着用された状態で、前記送風装置によって前記内部空間に前記外気が送出された場合に、前記内部空間の前記圧力が、前記裏地と着用者の身体の間に形成される空間の圧力よりも高くなるように構成されていることを特徴とする衣服。
【請求項１０】
請求項１〜８の何れか１つに記載の衣服であって、
前記衣服が着用された状態で、前記送風装置によって前記内部空間に前記外気が送出された場合に、前記裏地の少なくとも一部が着用者の身体に密着するように構成されていることを特徴とする衣服。
【請求項１１】
請求項１〜１０の何れか１つに記載の衣服であって、
ＪＩＳ  Ｌ１０９６―１９９８  ６．２７通気性Ａ法（フラジール法）により測定した前記裏地の通気度は、１〜５０ｃｃ／ｃｍ２／ｓの範囲内であり、且つ、前記表地の通気度よりも大きいことを特徴とする衣服。
【請求項１２】
請求項１〜１１の何れか１つに記載の衣服であって、
前記裏地の通気度は、前記表地の通気度よりも大きく、
前記裏地のうち、前記表地と前記裏地との接合部に囲まれた第１領域の面積は、前記表地のうち前記接合部に囲まれた第２領域の面積よりも大きいことを特徴とする衣服。
【手続補正２】
【補正対象書類名】明細書
【補正対象項目名】全文
【補正方法】変更
【補正の内容】
【発明の詳細な説明】
【技術分野】
【０００１】
本発明は、送風装置が着脱可能な衣服に関する。
【背景技術】
【０００２】
送風装置が着脱可能な衣服が知られている（例えば、特許文献１参照）。このような衣服では、送風装置によって衣服内に外気が送出されることで、衣服の着用者の身体を冷却することができる。
【先行技術文献】
【特許文献】
【０００３】
【特許文献１】特開２００５―５４２９９号公報
【発明の概要】
【発明が解決しようとする課題】
【０００４】
特許文献１に開示されている衣服では、ファンによって外部から取り込まれた空気は、着用者の身体と衣服の間を流れつつ身体を冷却し、襟元や袖口に設けられた空気出口部から外部へ流出する。このため、空気出口部以外の部分（裾、前立て等）から空気が漏れると冷却効果が下がってしまう傾向がある。
【０００５】
本発明は、このような事情に鑑みてなされたものであり、送風装置が着脱可能な衣服において、着用者の身体を効果的に冷却可能な技術を提供することを課題とする。
【課題を解決するための手段】
【０００６】
本発明の一態様として、送風装置と、表地と、表地に取り付けられた裏地とを備えた衣服が提供される。送風装置は、吸気口と排気口とを有する。表地は、取付け部を備えている。取付け部には、吸気口および排気口が表地の外側および裏地側に夫々配置された状態で、送風装置が取り付け可能である。表地と裏地の間には、内部空間が形成されている。送風装置の駆動によって排気口から送出された外気は、内部空間を流動可能である。そして、内部空間は、衣服が非着用状態で、送風装置によって風量Ｑ（１分当たりの立方メートル：ｍ３／ｍｉｎ）で内部空間に外気が送出された場合に、風量Ｑと内部空間の圧力Ｐ（パスカル：Ｐａ）とが、Ｐ≧１．１Ｑ２という関係を満たすように構成されている。
【０００７】
本態様の衣服によれば、送風装置によって表地と裏地の間の内部空間に送出された外気によって、裏地を表地から離れる方向に膨らませる（つまり、表地と裏地との間の距離を増大させる）ことが可能な好適な内圧Ｐを得ることができる。これにより、裏地の少なくとも一部を着用者の身体（または肌着）に接触させやすくなるため、裏地に汗を吸収させて、表地と裏地の間で流動する外気によって、この汗を蒸発させやすくなる。この場合、裏地と身体（または肌着）との接触部分では、効率的な熱交換が行われ、着用者を効果的に冷却することができる。なお、内部空間は、風量Ｑと圧力Ｐとが、Ｐ≧１．４Ｑ２という関係を満たすように構成されていることがより好ましく、Ｐ≧２．０Ｑ２という関係を満たすように構成されていることがより好ましく、Ｐ≧３．０Ｑ２という関係を満たすように構成されていることが更に好ましい。この場合、裏地を更に膨らませることができるため、裏地のより広い範囲を着用者の身体により確実に接触させやすくなる。
【０００８】
本発明の一態様において、衣服は、非着用状態で送風装置によって内部空間に外気が送出された場合の内部空間の圧力が、送風装置が送風可能な風量範囲内の何れかの風量において、少なくとも５パスカルとなるように構成されていてもよい。
【０００９】
本態様の衣服によれば、送風装置によって表地と裏地の間に送出された外気によって内部空間の圧力を少なくとも５パスカルまで高め、裏地を表地から離れる方向に膨らませる（つまり、表地と裏地との間の距離を増大させる）ことができる。これにより、裏地の少なくとも一部を着用者の身体（または肌着）に接触させやすくなるため、裏地に汗を吸収させて、表地と裏地の間で流動する外気によって、この汗を蒸発させやすくなる。この場合、裏地と身体（または肌着）との接触部分では、効率的な熱交換が行われ、着用者を効果的に冷却することができる。なお、本態様の「送風装置が送風可能な風量範囲」とは、風量が一律である（変更不能である）場合には、予め定められた所定の風量をいい、風量が変更可能である場合には、使用者の操作を介して、あるいは制御装置によって設定可能な風量の最小値から最大値までの範囲をいう。なお、衣服に着脱可能な送風装置の仕様に関する現実的な制約を考慮すると、最小値は概ね毎分０．４立方メートル（ｍ３／ｍｉｎ）以上であり、最大値は概ね毎分２．５立方メートル（ｍ３／ｍｉｎ）以下である。縫製にもよるが、内部空間の圧力は、４０．４パスカル以下程度であることが好ましい。この場合、内部空間の圧力が高まりすぎて、裏地が過度に着用者の身体に押し付けられ、着用感が損なわれるのを抑制することができる。
【００１０】
本発明の一態様において、裏地は、第１領域と、第１領域よりも通気度が高い第２領域とを含んでもよい。本態様によれば、裏地は、内部空間に送出された外気が、単位時間あたりに所定の単位面積を流通可能な体積量の観点で、第１領域よりも通気度が高い第２領域から流出しやすい構成とされている。よって、着用者の身体の特定の部位に対応して第２領域を選択的に配置することで、着用者の身体をより効果的に冷却することが可能となる。
【００１１】
本発明の一態様において、ＪＩＳ  Ｌ１０９６―１９９８  ６．２７通気性Ａ法（フラジール法）により測定した第１領域の通気度は、１〜５０ｃｃ／ｃｍ２／ｓの範囲内であるとよい。第１領域の通気度は、好ましくは１０〜３０ｃｃ／ｃｍ２／ｓの範囲内であり、より好ましくは、１５〜２５ｃｃ／ｃｍ２／ｓの範囲内である。本態様によれば、内部空間に送出された外気を、第２領域から積極的に流出させて身体の特定の部位を効果的に冷却しつつ、第１領域からも緩やかに流出させて身体のより広範囲からの放熱を促進し、冷感をより高めることができる。なお、第１領域の通気度を上記範囲内とすることで、裏地が着用者の身体に接触していない場合であっても、第１領域を通して身体側に流出する外気によって、身体からの放熱を促進することができる。特に、第１領域の通気度が、１０〜３０ｃｃ／ｃｍ２／ｓの範囲内である場合は、送風量を大きくしなくても、裏地の少なくとも一部が着用者の身体に接触しつつ、第１領域を通して外気が身体側に十分に流出するので、裏地と身体（または肌着）との接触部分における効率的な熱交換と、身体の広範囲からの放熱との両方をより確実に実現することができ、効果的に着用者の身体を冷却することが可能となる。
【００１２】
本発明の一態様において、第２領域は、メッシュ生地で構成されており、第１領域は、メッシュ生地以外の織物、編物または不織布等で構成されていてもよい。本態様によれば、空隙の割合がより高いメッシュ生地で構成された第２領域からスムーズに外気を流出させることができる。
【００１３】
本発明の一態様において、第２領域は、裏地のうち、衣服の着用時に着用者の首周り、腕の付け根周り、および胸部のうち少なくとも１つに対応する領域であってもよい。本態様によれば、熱がこもった身体の冷却効果が高いとされる部位（皮膚のすぐ下に太い血管が通っている部位）に外気を直接当て、着用者の身体をより効果的に冷却することができる。
【００１４】
本発明の一態様において、裏地の縁部は、表地に対して全体が開放不能な状態、または一部が開閉可能な状態で表地に取り付けられていてもよい。なお、「開放不能な状態」とは、典型的には、縁部全体が縫合や接着等によって表地に接合されている状態を指し、「開閉可能な状態」とは、典型的には、縁部の一部に開口が設けられ、その開口がボタン、スライドファスナ、面ファスナ等の手段によって閉塞可能であることを指すものである。本態様によれば、送風装置で送風が行われる場合には内部空間が表地と裏地によって取り囲まれた状態を確保して、内部空間から無用に外気が漏れることを抑制し、より確実に内部空間の圧力を維持することができる。また、必要に応じて縁部の一部と表地との間に形成される開口から、選択的に外気を排出することができる。
【００１５】
本発明の一態様において、衣服は、着用された状態で、送風装置によって内部空間に外気が送出された場合に、内部空間の圧力が、裏地と着用者の身体の間に形成される空間の圧力よりも高くなるように構成されていてもよい。本態様によれば、裏地を良好に膨らませることができる。
【００１６】
本発明の一態様によれば、衣服は、着用された状態で、送風装置によって内部空間に外気が送出された場合に、裏地の少なくとも一部が着用者の身体に密着するように構成されていてもよい。本態様によれば、裏地に汗を吸収させ、表地と裏地の間で流動する外気によって、この汗を蒸発させる効果をより高めることができる。
【００１７】
本発明の一態様において、ＪＩＳ  Ｌ１０９６―１９９８  ６．２７通気性Ａ法（フラジール法）により測定した裏地の通気度は、１〜５０ｃｃ／ｃｍ２／ｓの範囲内であり、且つ、表地の通気度よりも大きくてもよい。
【００１８】
本態様の衣服では、裏地の通気度は、表地の通気度よりは大きいものの、比較的小さく設定されている。これにより、内部空間の外気の圧力をある程度高く維持しつつ、内部空間の外気を、裏地を通して着用者の身体側に緩やかに流出させることができる。よって、本態様の衣服によれば、裏地が身体に接触していない場合であっても、裏地全体から緩やかに流出する外気によって身体の広範囲からの放熱を促進し、着用者を効果的に冷却することができる。また、裏地の少なくとも一部が着用者の身体に接触している場合には、その部分に汗を吸収させ、表地と裏地の間で流動する外気によって、この汗を蒸発させることができる。この場合、効率的な熱交換によって着用者を効果的に冷却することができる。
【００１９】
なお、本態様における裏地の通気度は、好ましくは１０〜３０ｃｃ／ｃｍ２／ｓの範囲内であり、より好ましくは、１５〜２５ｃｃ／ｃｍ２／ｓの範囲内である。また、裏地には、上記範囲の上限よりも通気度が大きい通気口（通気度がより高い生地で覆われた開口であっても、貫通孔であってもよい）が選択的に設けられていてもよい。なお、第１領域の通気度を上記範囲内とすることで、裏地が着用者の身体に接触していない場合であっても、第１領域を通して身体側に流出する外気によって、身体からの放熱を促進することができる。特に、第１領域の通気度が、１０〜３０ｃｃ／ｃｍ２／ｓの範囲内である場合は、送風量を大きくしなくても、裏地の少なくとも一部が着用者の身体に接触しつつ、第１領域を通して外気が身体側に十分に流出するので、裏地と身体（または肌着）との接触部分における効率的な熱交換と、身体の広範囲からの放熱との両方をより確実に実現することができ、効果的に着用者の身体を冷却することが可能となる。
【００２０】
本発明の一態様において、裏地の通気度は、表地の通気度よりも大きくてもよい。また、裏地のうち、表地と裏地との接合部に囲まれた第１領域の面積は、表地のうち接合部に囲まれた第２領域の面積よりも大きくてもよい。
【００２１】
本態様の衣服は、裏地の通気度を表地の通気度よりも高く設定することで、送風装置が取付け部に装着され、内部空間に外気が送出された場合、外気が表地よりも裏地から流出しやすい構成とされている。また、裏地の第１領域の面積の方が表地の第２領域の面積よりも大きいため、裏地が着用者の身体側に膨らみやすく、裏地の少なくとも一部が着用者の身体（または肌着）に接触しやすくなる。これにより、裏地に汗を吸収させて、表地と裏地の間で流動する外気によって、この汗を蒸発させやすくなる。また、裏地を通して流出した外気によって、着用者の身体からの放熱を促進することができる。よって、着用者の身体を効果的に冷却することができる。また、表地よりも裏地の膨らみの方が大きくなるため、例えば、表地を身体に沿った大きさとした場合であっても、裏地を効率的に身体に接触させやすい。なお、本態様において、第１領域の面積は、第２領域の面積の１．１〜２倍であることが好ましい。この場合、裏地を身体側に効果的に膨ませることができる。
【００２２】
なお、本態様における表地と裏地との接合方法は特に限定されるものではなく、例えば、縫合、接着を含む。なお、第１領域および第２領域は、全周に亘って接合されている必要はなく、外周の一部に接合されていない部分（内部空間と外部とを連通する開口）が選択的に設けられてもよい。また、このような開口は、例えば、ボタン、スライドファスナ、面ファスナ等の手段によって閉塞可能であってもよい。
【図面の簡単な説明】
【００２３】
【図１】背面からみた状態の上着を示す説明図である。
【図２】前を開いた状態の上着の内側を示す説明図である。
【図３】ファンユニットが取り付けられた上着の断面を示す説明図である。
【図４】ファンユニットの斜視図である。
【図５】ファンユニットの吸気部の正面図である。
【図６】バッテリホルダの斜視図である。
【図７】内圧Ｐと風量Ｑの関係の説明図である。
【図８】背面からみた状態のベストを示す説明図である。
【図９】前を開いた状態のベストの内側を示す説明図である。
【図１０】実施形態の上着と、変形例の上着およびベストと、比較例の上着の内圧の実測データを示すグラフである。
【発明を実施するための形態】
【００２４】
以下、図面を参照して、本発明の実施形態について説明する。なお、以下の実施形態では、本発明に係る衣服の一例として、上着１を例示する。
【００２５】
まず、上着１の概略構成について説明する。図１および図２に示す本実施形態の上着１は、通気衣服、空調衣服、冷却衣服などとも称される衣服の一例であって、送風を行うファンユニット８を着脱可能に構成されている。上着１は、表地２と裏地３とを備えており、ファンユニット８は、吸気口８６０および排気口８８０が表地２の外側および裏地３側に夫々配置された状態で、表地２に取り付けられる。着用者が上着１を着用した状態でファンユニット８による送風が行われると、吸気口８６０から吸い込まれた外気が、排気口８８０を介して表地２と裏地３の間に送出され、表地２と裏地３の間に形成された内部空間１０（図３参照）内を流動する。これにより裏地３が膨らみ、着用者の身体（肌着を着用した状態を含む）に接触して、汗を吸収する。そして、内部空間１０を流動する外気がこの汗を蒸発させることで熱を奪い、着用者に冷感を与えるものである。また、外気は、裏地３を通して内部空間１０から流出し、身体全体の放熱を促進することによっても着用者に冷感を与える。
【００２６】
以下、上着１の詳細構成について説明する。図１および図２に示すように、上着１は、前開きの長袖の上衣として構成されており、表地２と、表地２に取り付けられた裏地３とを備えている。
【００２７】
表地２は、後身頃２１、前身頃２３、および袖２５を有する。
【００２８】
図１に示すように、後身頃２１は、２つのファンユニット８を着脱可能に構成されている。より詳細には、後身頃２１は、下部（詳細には、着用時に着用者の腰上部を覆う部分）の２箇所に、ファンユニット８が取り付けられる取付け開口２１１を有する。なお、取付け開口２１１は、ファンユニット８のハウジング８４の筒状部８５（図３参照）の径と概ね同径に形成されている。以下、取付け開口２１１の周縁部を、ファン取付け部２１２ともいう。なお、ファン取付け部２１２は、ファンユニット８を安定して取り付け可能とするために、補強材によって補強されていることが好ましい。
【００２９】
図２に示すように、前身頃２３は、左身頃と右身頃とが１対のスライドファスナ２３１によって接続（開閉）可能とされている。また、表地２の裾は、引き紐２９を通した状態で、筒状に縫い止められている。着用者は、適宜、引き紐２９を引っ張ってストッパで留めることで、裾の絞り具合を調節することができる。また、袖２５の袖口は一部がゴムで伸縮自在とされており、更に、面ファスナ付きのストラップ２５１で、袖口の絞り具合が調整可能とされている。
【００３０】
なお、本実施形態では、表地２には、優れた耐水性および透湿性を有する生地が採用されている。より詳細には、表地２には、ポリエチレンテレフタレートマルチフィラメント（５６ｄｔｅｘ／７２ｆｉｌ）の経糸およびポリエチレンテレフタレートマルチフィラメント（５６ｄｔｅｘ／７２ｆｉｌ）の緯糸を用いた平織物が採用されており、その経密度は２２０本／２．５４ｃｍ、緯密度は１４５本／２．５４ｃｍである。また、表地２の目付けは１０７ｇ／ｍ２である。更に、ＪＩＳ  Ｌ１０９６―１９９８  ６．２７通気性Ａ法（フラジール法）により測定した通気度は、本実施の形態においては、単位時間当たり単位面積を通過する流体体積として、０．１ｃｃ／ｃｍ２／ｓ（当該単位については、「ｃｃ／（ｃｍ２・ｓ）」とも表記される）である。
【００３１】
図２に示すように、裏地３は、表地２の後身頃２１および前身頃２３全体を覆うように、縁部３０の全体が表地２に縫い付けられている。つまり、袖２５には裏地は取り付けられていない。なお、ファンユニット８による送風時に、表地２から離れる方向（つまり着用者の身体側）に膨らみやすいように、裏地３のうち、表地２と裏地３との縫合部（縁部３０）に囲まれた領域の面積は、表地２のうち、縁部３０に囲まれた領域の概ね１．１倍とされている。
【００３２】
裏地３のうち、後身頃２１を覆う部分の下端部には、縁部３０に沿って、直線状に切り込まれた開口３０１が形成されている。開口３０１は、スライドファスナ３０２により開閉可能とされている。ファンユニット８をファン取付け部２１２に着脱する場合には、スライドファスナ３０２が開けられ、開口３０１を介して着脱作業が行われる。一方、上着１を着用してファンユニット８による送風が行われる場合には、スライドファスナ３０２は閉じられた状態とされる。これにより、腰の周囲で内部空間１０から外気が漏れ出ることが防止される。裏地３のうち、右前身頃を覆う部分には、スナップボタンによって留め付け可能なフラップを有するポケット３０４が設けられている。更に、裏地３のうち、２つのファン取付け部２１２に対向する部分の下側には、夫々、ファンユニット８と、後述するバッテリホルダ９６（図３参照）とを接続するためのケーブル９１を挿通可能な開口３０６が設けられている。なお、開口３０６の周囲には、ケーブル９１が挿通されている場合にはその外周部を覆うとともに、ケーブル９１が挿通されていない場合に開口３０６を実質的に塞ぐべく、筒状のカバーが設けられている。
【００３３】
また、裏地３は、通気度が互いに異なる複数の領域を有する。具体的には、裏地３は、より低い通気度を有する主領域３１と、より高い通気度を有する排気領域３２とを有する。主領域３１は、裏地３の面積の大部分を占めており、ファンユニット８による送風時に伴って膨らみ、着用者の身体に接触可能な領域を含む。一方、排気領域３２は、表地２と裏地３の間に送出された外気が主領域３１よりも容易に通過可能な領域として構成されている。排気領域３２は、着用者が特に冷感を得やすく、熱がこもった身体の冷却効果が高いとされる部位（皮膚のすぐ下に太い血管が通っている部位）に対応して選択的に設けられる。本実施形態では、排気領域３２は、着用時に、着用者の首筋、両脇の下、両腕の付け根の背中側の部分、および胸部（特に、鳩尾およびその上部）に夫々対向する領域に設けられている。なお、排気領域３２は、縁部３０に隣接して設けられている。また、排気領域３２全体の面積は、主領域３１の面積の１０パーセント以下程度にとどめられている。
【００３４】
本実施形態では、主領域３１と排気領域３２は、通気度が異なる生地で構成されている。主領域３１には、優れた吸汗・速乾性を有する生地が採用されている。より詳細には、主領域３１には、ポリエチレンテレフタレートマルチフィラメント（８３ｄｔｅｘ／２４ｆｉｌ）の経糸およびポリエチレンテレフタレートマルチフィラメント（３３ｄｔｅｘ／１２ｆｉｌ）の緯糸を用いた綾織物が採用されており、この織物には吸水加工が施されている。また、主領域３１の密度は、１２６本／２．５４ｃｍ、９０本／２．５４ｃｍである。また、主領域３１の目付けは、７７．２ｇ／ｍ２である。更に、ＪＩＳ  Ｌ１０９６―１９９８  ６．２７通気性Ａ法（フラジール法）により測定した主領域３１の通気度は、１９．４ｃｃ／ｃｍ２／ｓである。一方、主領域３１よりも通気度の高い排気領域３２には、通気度１００ｃｃ／ｃｍ２／ｓ以上のメッシュ生地が採用されている。
【００３５】
以下、上着１に着脱可能に構成されたファンユニット８の構成について説明する。図３および図４に示すように、ファンユニット８は、本体部８１と、本体部８１とは別体として形成され、本体部８１に着脱可能なリング部材８９とを備えている。
【００３６】
まず、本体部８１について説明する。図３に示すように、本体部８１は、モータ８２と、ファン８３と、モータ８２およびファン８３を収容するハウジング８４とを主体として構成されている。モータ８２およびファン８３は、ハウジング８４内に同軸状に配置されている。なお、本実施形態では、モータ８２として、ブラシを有する直流モータが採用されている。ファン８３は、複数の羽根８３１を備えた軸流ファンとして構成されている。ファン８３は、モータ８２の駆動に伴って、回転軸Ａ１周りにモータシャフトと一体的に回転される。
【００３７】
図３〜図５に示すように、ハウジング８４は、リング部材８９が取り付けられる筒状部８５と、吸気口８６０を有する吸気部８６と、吸気部８６の周囲に設けられたフランジ部８７と、排気口８８０を有する排気部８８とを含む。
【００３８】
図３に示すように、筒状部８５は円筒状に形成された部分であって、ファン８３の回転軸Ａ１を中心軸として、モータ８２およびファン８３と同軸状に配置されている。詳細な図示は省略するが、筒状部８５の外周面には、リング部材８９の内周面に形成された雌ネジ部に螺合可能な雄ネジ部が形成されている。
【００３９】
吸気部８６は、筒状部８５の２つの開口端のうちファン８３の吸気側の端を覆うように配置されている。図５に示すように、吸気部８６は、回転軸Ａ１方向からみて全体として円形に形成されており、閉塞部８６１と、第１リブ８６３と、第２リブ８６４とを含む。閉塞部８６１は、回転軸Ａ１に概ね直交するように、吸気部８６の中心部に配置された板状部である。第１リブ８６３は、閉塞部８６１から概ね放射状に延びている。第２リブ８６４は、閉塞部８６１の外形に対応する環状に形成され、吸気部８６の径方向中央部に配置されて、第１リブ８６３を接続している。本実施形態では、吸気部８６の第１リブ８６３および第２リブ８６４の間に形成された開口が、吸気口８６０を構成する。各吸気口８６０は、吸気部８６を回転軸Ａ１方向に貫通している。フランジ部８７は、吸気部８６の外周から径方向外側に突出するように設けられている。
【００４０】
図３に示すように、排気部８８は、筒状部８５の２つの開口端のうちファン８３の排気側の端を覆うように配置されている。図４に示すように、排気部８８は、全体としては、回転軸Ａ１方向において筒状部８５から離れる方向に突出する円形ドーム状に形成されており、閉塞部８８１と、第１リブ８８３と、第２リブ８８４と、第３リブ８８５とを含む。閉塞部８８１は、回転軸Ａ１に概ね直交するように、排気部８８の中心部に配置された板状部である。第１リブ８８３は、閉塞部８８１から放射状に延びている。第２リブ８８４は、環状に形成され、第１リブ８８３の径方向外側の端部を接続する。第３リブ８８５は、回転軸Ａ１周りの周方向に等間隔で配置され、第２リブ８８４と筒状部８５の端部を円弧状に接続する。本実施形態では、排気部８８の第１リブ８８３、第２リブ８８４、第３リブ８８５の間に形成された開口が、排気口８８０を構成する。各排気口８８０は、排気部８８を回転軸Ａ１方向に貫通している。なお、排気口８８０のうち、第３リブ８８５の間に形成された排気口８８０は、排気部８８を回転軸Ａ１に交差する方向にも貫通している。
【００４１】
また、図３および図４に示すように、排気部８８の周方向における一部には、第１リブ８８３〜第３リブ８８５が設けられていないコネクタ配置領域８８７が設けられている。コネクタ配置領域８８７に対して回転軸Ａ１側には、モータ８２に電気的に接続されたコネクタ８８８が配置されている。コネクタ配置領域８８７には、ファンユニット８とバッテリホルダ９６とを接続するためのケーブル９１のコネクタ９１３が配置され、コネクタ８８８に差し込まれる。なお、図２に示すように、ケーブル９１は、２つのファンユニット８に対応可能な二股状に構成されており、一端にはバッテリホルダ９６のコネクタ９６２（図６参照）に接続可能なコネクタ９１１を有し、二股に分かれた他端の各々には、ファンユニット８のコネクタ８８８に接続可能なコネクタ９１３を有する。
【００４２】
次に、リング部材８９について説明する。図３および図４に示すように、リング部材８９は、筒状部８９１と、フランジ部８９３とを主体として構成されている。筒状部８９１は、本体部８１の筒状部８５の外周に着脱可能に構成された短尺状の円筒体として形成されている。詳細な図示は省略するが、本実施形態では、筒状部８９１の内周面には、雌ネジ部が形成されている。筒状部８５の外周面に形成された雄ネジ部に対してこの雌ネジ部が螺合されることで、リング部材８９が本体部８１に対して同軸状に取付けられる。フランジ部８９３は、筒状部８５の軸方向における一端部から径方向外側に突出するように設けられている。フランジ部８９３の外径は、本体部８１のフランジ部８７の外径と概ね同一に設定されている。
【００４３】
以上のように構成されたファンユニット８は、図３に示すように、本体部８１の吸気部８６および排気部８８が、表地２の外側（つまり、外気に曝される側）および裏地３側（着用者の身体側）に夫々配置された状態で、ファン取付け部２１２に取り付けられる。具体的には、使用者はまず、リング部材８９が取り外された状態の本体部８１の一部を、上着１の取付け開口２１１に挿入する。より詳細には、本体部８１のフランジ部８７をファン取付け部２１２の外側に配置し、筒状部８５と排気部８８を、取付け開口２１１から上着１の内側へ挿入する。これにより、フランジ部８７の前側にファン取付け部２１２（表地２）が配置された状態となる。更に、使用者は、裏地３のスライドファスナ３０２（図２参照）を開け、開口３０１を通してリング部材８９を本体部８１に取り付ける。具体的には、外側のフランジ部８７と内側のフランジ部８９３によってファン取付け部２１２（表地２）が挟持される位置まで、リング部材８９（筒状部８９１）を本体部８１(筒状部８５）に螺合させる。このようにしてファンユニット８が取付けられると、排気口８８０は、裏地３に対向するように、表地２と裏地３の間に配置される。
【００４４】
その後、図２に示すように、開口３０１を通してケーブル９１のコネクタ９１１がファンユニット８に接続され、コネクタ９１３側の端部が、ケーブル９１用の開口３０６から裏地３の内側に引き出される。本実施形態では、ファンユニット８は、ケーブル９１を介して、図６に示すバッテリホルダ９６に電気的に接続可能とされている。バッテリホルダ９６は、ファンユニット８の電源としての充電式のバッテリ９５を装着可能、且つ、電気的に接続可能な周知の構成を有する。なお、本実施形態のバッテリ９５は、各種の電動工具（スクリュードライバ、ハンマドリル等）に装着されて、電動工具の電源としても使用可能な周知のバッテリである。バッテリホルダ９６からは、一端にコネクタ９６２を有するケーブル９６１が延出されている。コネクタ９６２には、ケーブル９１のコネクタ９１１を接続可能である。
【００４５】
なお、バッテリ９５が装着されたバッテリホルダ９６は、ポケット３０４（図２参照）内に収容することができる。また、バッテリホルダ９６に設けられた弾性を有するクリップ９６３によって、ベルト等に取り付けることも可能である。
【００４６】
また、バッテリホルダ９６には、ファンユニット８（詳細には、モータ８２）の駆動開始および停止の指示を入力するための操作ボタン９６５が設けられている。本実施形態では、バッテリホルダ９６には、操作ボタン９６５を介して入力された情報に応じてモータ８２の駆動制御を行うコントローラ（典型的には、ＣＰＵを備えたマイクロコンピュータ）も搭載されている。また、本実施形態では、操作ボタン９６５は、ファンユニット８の風量の調節のための指示も入力可能とされている。風量の調節は、コントローラによって、操作ボタン９６５から入力された情報に応じてモータ８２の回転数が変更されることで行われる。なお、本実施形態では、ファンユニット８の風量は、毎分０．８ｍ３（弱）と、毎分１．４ｍ３（強）の２段階に調節可能とされている。
【００４７】
以下、上着１とファンユニット８による送風との関係について説明する。本実施形態では、上述のように、ファンユニット８の吸気口８６０は表地２の外側に配置され、排気口８８０は表地２と裏地３の間に配置される。モータ８２が駆動され、ファン８３が回転されると、吸引された外気は、吸気口８６０を通ってハウジング８４内へ流入する。流入した外気は、排気口８８０を通って前方および回転軸Ａ１に交差する方向に流出する。つまり、表地２と裏地３の間に外気が送出される。
【００４８】
従来の通気衣服等と称される衣服に関しては、着用者の身体と衣服の生地（裏地がない衣服では表地、裏地がある衣服では裏地）との間の空間で外気を流動させることで、着用者の汗を蒸発させて熱を奪うことに主眼が置かれている。このため、衣服の末端部（例えば、上着やズボンの裾、前立て、襟元、袖口等）をファスナ等で閉じたりゴムで絞ったりすることで、身体と生地の間に外気が流動可能な空間を保つことが一般的である。これにより、着用時の動きやすさや、着用態様の自由度が損なわれやすい。
【００４９】
これに対し、本実施形態の発明者らは、従来とは異なる次の２点に着目し、本実施形態の上着１を構成している。１点は、ファンユニット８によって表地２と裏地３の間に送出された外気によって内部空間１０の圧力を大気圧よりも上昇させて裏地３を表地２から離れる方向に膨らませ（つまり、表地２と裏地３との間の距離を増大させ）、裏地３の少なくとも一部を着用者の身体に接触させて汗を吸収させ、表地２と裏地３の間で流動する外気によって、この汗を蒸発させるという点である。この場合、裏地３の身体に接触している部分で効率的な熱交換が行われ、着用者は、冷感を得ることができる。また、もう１点は、裏地３の比較的広い領域を通して内部空間１０から外気を緩やかに流出させることで、身体からの放熱を促すという点である。
【００５０】
この着目点に基づき、発明者らは、非着用状態の上着１においてファンユニット８が送風を行った場合の、表地２と裏地３の間に形成される内部空間１０の圧力（以下、単に内圧ともいう）とファンユニット８の風量との適切な関係を見出した。
【００５１】
まず、内圧は、内部空間１０における外気の流れを妨げる力（圧力損失、送風抵抗）に概ね対応すると考えられる。圧力損失は、風量の二乗に比例することが知られている。そこで、発明者らは、内圧Ｐ（Ｐａ）と風量Ｑ（ｍ３／ｍｉｎ）との間に、Ｐ＝Ｋ・Ｑ２（Ｋは係数）という関係式（近似式）が成立しうるとの観点から、係数Ｋについて鋭意検討した。なお、係数Ｋは、所定の（無次元）定数（Ｃｏｎｓｔａｎｔ）である。
【００５２】
その結果、係数Ｋが１．１以上であることが好ましいことを特定し、風量Ｑと内圧Ｐとが、Ｐ≧１．１Ｑ２という関係を満たす場合に、風量Ｑに応じて好ましい内圧Ｐ、つまり、裏地３を着用者の身体に接触させやすくなるだけの内圧Ｐが得られることを見出した。なお、一定の風量Ｑで送風を行った場合、裏地３が最大限膨らむまでは内圧Ｐは徐々に上昇するため、ここでいう内圧Ｐは、風量Ｑにおける最大の内圧に対応している。また、係数Ｋは、１．４倍以上であると好ましく、２．０倍以上であるとより好ましく、３．０倍以上であると更に好ましい。つまり、風量Ｑと内圧Ｐとが、Ｐ≧１．４Ｑ２という関係を満たすことが好ましく、Ｐ≧２．０Ｑ２という関係を満たすことがより好ましく、Ｐ≧３．０Ｑ２という関係を満たすことが更に好ましい。
【００５３】
本実施形態の上着１に関し、発明者らは、差圧式流量計を用いて風量を測定しつつ、非着用状態で吊るされた上着１の取付け開口２１１から、内部空間１０へ送風を行った。そして、このときの内圧（ゲージ圧（大気圧を基準とした圧力））を、後身頃２１の中央下部（腰部あたり）の表地２と裏地３の間に配置された圧力計を用いて測定した。この結果、風量が毎分０．８６ｍ３のときの内圧は６．０Ｐａ、風量が毎分１．１６ｍ３のときの内圧は８．６Ｐａ、風量が毎分１．６３ｍ３のときの内圧は１３．３Ｐａ、風量が毎分２．１６ｍ３のときの内圧は１９．２Ｐａ、風量が毎分２．５６ｍ３のときの内圧は２３．７Ｐａであった。この結果が、関数Ｐ＝１．１Ｑ２、Ｐ＝１．４Ｑ２、Ｐ＝２．０Ｑ２、Ｐ＝３．０Ｑ２のグラフとともに、図７にダイヤ型のマーカでプロットされている。図７に示すように、本実施形態の上着１によれば、内圧Ｐと風量Ｑは、Ｐ≧３．０Ｑ２という関係を満たしており、ファンユニット８の風量Ｑが毎分０．８ｍ３（弱）に設定された場合でも、比較的高い内圧Ｐを得ることができることがわかる。
【００５４】
更に、発明者らは、次のような手順で、内圧Ｐと、表地２と裏地３との間の最大距離Ｄとの関係についても特定した。まず、ファンユニット８がファン取付け部２１２に取り付けられ、スライドファスナ２３１が開かれて左身頃と右身頃とが分かれた状態の上着１を広げ（図２参照）、表地２が下側、裏地３が上側となるように概ね水平な平面（床）に載置した。そして、ファンユニット８によって送風を行い、後身頃２１の中央下部（腰部あたり）の表地２と裏地３の間に配置された圧力計を用いて特定された内圧Ｐにおける表地２と裏地３との間の最大距離Ｄを測定した。この結果、内圧Ｐが０．４０Ｐａ、０．７２Ｐａ、０．９０Ｐａ、１．０９Ｐａ、１．５２Ｐａであるときの最大距離Ｄは、夫々、３．０ｃｍ、５．５ｃｍ、８．０ｃｍ、１３．０ｃｍ、１６．５ｃｍであった。
【００５５】
この結果から、内圧Ｐと風量Ｑの関係がＰ≧１．１Ｑ２の関係を満たす場合には、風量Ｑが少なくとも毎分０．８ｍ３であれば、概ね５．５ｃｍ以上の最大距離Ｄが得られると考えられ、内圧Ｐと風量Ｑの関係がＰ≧１．４Ｑ２の関係を満たす場合には、風量Ｑが少なくとも毎分０．８ｍ３であれば、概ね８．０ｃｍ以上の最大距離Ｄが得られると考えられる。また、内圧Ｐと風量Ｑの関係がＰ≧２．０Ｑ２の関係を満たす場合には、風量Ｑが毎分０．６ｍ３であれば概ね５．５ｃｍ以上の最大距離Ｄが得られ、風量Ｑが毎分０．７ｍ３であれば８．０ｃｍ以上の最大距離Ｄが得られると考えられる。更に、内圧Ｐと風量Ｑの関係がＰ≧３．０Ｑ２の関係を満たす場合には、風量Ｑが毎分０．５ｍ３であれば５．５ｃｍ以上の最大距離Ｄが得られ、風量Ｑが毎分０．６ｍ３であれば８．０ｃｍ以上の最大距離Ｄが得られると考えられる。
【００５６】
内圧Ｐが同じである場合、実際に着用者が上着１を着用した場合の表地２と裏地３との間の距離は、上述のように測定された最大距離Ｄよりも短くなると考えられるが、最大距離Ｄが少なくとも５．５ｃｍであれば、平均的な体型（身長および胸囲）の成人男性の場合には、裏地３（特に、後身頃２１を覆う領域）の一部を着用者の身体に密着させることができることが確認された。更に、最大距離Ｄが少なくとも８．０ｃｍであれば、裏地３（特に、後身頃２１を覆う領域）のより広い範囲を着用者の身体に確実に密着させることができること、また、平均的な成人男性よりも小柄な（身長および胸囲が小さい）着用者にも対応可能であることが確認された。実施形態の上着１に関しては、上述のように、内圧Ｐと風量Ｑは、Ｐ≧３．０Ｑ２という関係を満たしており、ファンユニット８の風量Ｑが毎分０．８ｍ３（弱）に設定された場合でも、内圧Ｐは少なくとも１．９２Ｐａとなる。よって、最大距離Ｄは１６．５ｃｍ以上となるため、裏地３を十分に着用者の身体に密着させ、着用者の身体を効果的に冷却することができることがわかる。
【００５７】
また、本実施形態の上着１では、裏地３は、主領域３１と、主領域３１よりも通気度の高い排気領域３２とを含んでいる。特に、本実施形態では、排気領域３２がメッシュ生地、主領域３１が綾織生地で構成されており、排気領域３２の通気度は主領域３１よりも大幅に高い。このため、内部空間１０に送出された外気は、排気領域３２から流出しやすく、内部空間１０における外気の流動性も確保される。よって、排気領域３２から流出した外気が首筋、両脇の下、両腕の付け根の背中側の部分、および胸部（鳩尾およびその上部）に直接当たることで、着用者に冷感を与えるとともに、熱がこもった身体を効果的に冷却することができる。また、内部空間１０で流動する外気が裏地３に吸収された汗を効果的に蒸発させることができる。更に、主領域３１は、内圧Ｐを維持可能でありつつも外気のある程度の通過を許容する生地で構成されているため、主領域３１のうち、着用者の身体に密着していない領域を通過する外気によって身体の放熱を促進することによっても着用者に冷感を与えることができる。
【００５８】
また、本実施形態では、表地２の通気度は比較的低いことから、内部空間１０に送出された外気が表地２を通して外部に流出することが抑制されている。これにより、内圧Ｐを良好に維持しつつ、外気を排気領域３２および主領域３１から優先的に流出させることができる。また、両脇の下および背中側の腕の付け根の近傍に設けられた排気領域３２から流出した外気を、袖２５内を通過させ、袖口から流出させることで、腕を冷却することもできる。なお、袖２５の袖口近傍には、外気を排気するための開口が形成されていてもよい。
【００５９】
更に、本実施形態の上着１では、前身頃２３のスライドファスナ２３１を全開し、前を開けた状態（つまり、胸部や腹部が前身頃２３に覆われない状態）で上着を着用した場合でも、内圧は良好に維持される。これにより、従来のいわゆる通気衣服等に比べ、着用時の動きやすさや着用態様の自由度を向上することができる。具体的には、上着１の前を閉めた状態で着用できるのみならず、前を開けた状態で、引き紐２９で裾を絞らずに使用することもできる。これにより、着用時の圧迫感も解消することができる。更に、本実施形態の上着１は、裏地３のうち縁部（縫合部）３０に囲まれた領域の面積は、表地２のうち縁部３０に囲まれた領域の概ね１．１倍とされており、外観に影響する表地２よりも、裏地３の方が身体側に膨らみやすい構成とされている。このため、裏地３を効率的に身体側に膨らませて身体に接触させやすくするとともに、上着１の見栄えも良好に保つことができる。
【００６０】
上記実施形態は単なる例示であり、本発明に係る衣服および送風装置は、例示された上着１およびファンユニット８の構成に限定されるものではない。
【００６１】
例えば、上述の係数Ｋに影響を与える因子として、表地２および裏地３の特性（通気度、目付け、密度、伸び率、繊維の種類、組織の種類等）が挙げられる。よって、上記実施形態の例示に限らず、係数Ｋが１．１以上である限りにおいて、表地２および裏地３は適宜変更することが可能である。以下に、表地２および裏地３が保有しうる特性について例示する（但し、以下の例に限定されるものではない）。
【００６２】
表地２としては、化学繊維（例えば、ポリエステル繊維、アラミド繊維、ポリフェニレンスルフィド繊維、アクリル繊維、ナイロン繊維、レーヨン繊維、アセテート繊維、ポリウレタン繊維、ポリエーテルエステル繊維等）、天然繊維（綿、ウール、絹等）、またはこれらを複合した繊維を含む生地（織物、編物、不織布等）を採用することができる。表地２は、ＪＩＳ  Ｌ１０９６―１９９８  ６．２７通気性Ａ法（フラジール法）により測定した通気度が、通常０．０１〜４０ｃｃ／ｃｍ２／ｓの範囲内であり、好ましくは０．０５〜２０ｃｃ／ｃｍ２／ｓの範囲内であり、より好ましくは０．０５〜１０ｃｃ／ｃｍ２／ｓの範囲内である。なお、実施形態で例示したように、表地２の通気度は、裏地３（主領域３１）の通気度よりも低いことが好ましい。また、できるだけ少ない風量で裏地３を膨らませるためには、表地２の通気度を上記範囲内で比較的低い値に設定することが好ましい。表地２の目付けは、上記の通気度を満たすように調整することができ、通常、５０〜３００ｇ／ｍ２の範囲内であり、好ましくは７０〜２５０ｇ／ｍ２の範囲内である。また、表地２には、耐水性と透湿性に優れた生地が採用されることが好ましい。
【００６３】
裏地３についても、表地２と同様、化学繊維、天然繊維、またはこれらを複合した繊維を含む生地（織物、編物、不織布等）を採用することができる。主領域３１の通気度は、通常１〜５０ｃｃ／ｃｍ２／ｓの範囲内であり、好ましくは、１０〜３０ｃｃ／ｃｍ２／ｓの範囲内であり、より好ましくは、１５〜２５ｃｃ／ｃｍ２／ｓの範囲内である。なお、できるだけ少ない風量で内圧を高め、裏地３を膨らませるためには、主領域３１の通気度を上記範囲内で比較的低い値に設定することが好ましい。一方、主領域３１を通して身体側に流出する外気によって、身体からの放熱を促進するためには、通気度が低すぎないことが好ましい。主領域３１の通気度が、１０〜３０ｃｃ／ｃｍ２／ｓの範囲内である場合は、送風量をそれほど大きくしなくても、裏地３の少なくとも一部が着用者の身体に接触しつつ、主領域３１を通して外気が身体側に十分に流出するので、裏地３と身体（または肌着）との接触部分における効率的な熱交換と、身体の広範囲からの放熱との両方をより確実に実現することができ、効果的に着用者の身体を冷却することができる。
【００６４】
排気領域３２は、主領域３１よりも通気度が高ければよく、メッシュ生地以外の平織、綾織等の公知の織編地で構成されていてもよいし、生地で覆われない開口で構成されていてもよい。この場合、開口は、裏地３の縁部３０の一部が表地２に対して開閉可能な状態で取り付けられることで形成されていてもよい。開口は、例えば、スライドファスナ、面ファスナ、スナップボタン等によって開閉可能とすることができる。また、排気領域３２は、必ずしも、上記実施形態のように、着用者の首筋、両脇の下、両腕の付け根の背中側の部分、および胸部に夫々対向する領域の全てに設けられる必要はない。排気領域３２は、少なくとも１つであってもよいし、省略されてもよい。なお、排気領域３２が省略される場合には、排気領域３２が設けられる場合よりも裏地３の通気度を高くすることが好ましい。この場合、裏地３（主領域３１）全体を通過する外気によって身体の広範囲からの放熱を促進することで、効果的な冷却を行うことができる。
【００６５】
また、主領域３１に対する排気領域３２の面積比率も、適宜変更されてよい。なお、着用者に当たる風の風速が大きいほど冷感が高まることが知られている。ファンユニット８が同じ風量で送風を行ったときの風速は、各排気領域３２の面積を小さくするほど大きくなる。よって、できるだけ少ない風量で効果的に着用者の特定の部位を冷却するには、主領域３１に対する排気領域３２の面積比率や各排気領域３２の面積は、比較的小さいことが好ましい。更に、主領域３１の通気度を上記範囲内に設定することで、内部空間１０に送出された外気を主領域３１からも緩やかに流出させて身体の広範囲からの放熱を促進し、冷感をより高めることができる。
【００６６】
また、主領域３１の目付けは通常、３０〜１５０ｇ／ｍ２の範囲内であり、好ましくは、４０〜１２０ｇ／ｍ２の範囲内であり、より好ましくは５０〜９０ｇ／ｍ２の範囲内である。裏地３のうち、少なくとも主領域３１を構成する生地は、吸水性および速乾性に優れることが好ましい。
【００６７】
上記実施形態では、上着１は袖２５付きの上衣であって、裏地３が後身頃２１と前身頃２３の内面の概ね全体を覆っている。しかし、裏地３は、後身頃２１の内面のみを覆うように取り付けられていてもよいし、後身頃２１および前身頃２３に加えて袖２５の内面を覆うように取り付けられてもよい。なお、表地２のうち、表地２と裏地３との縫合部（縁部３０）に囲まれた領域の面積と裏地３の面積との関係は、通常、裏地３の面積が、表地２の上記領域の面積の１倍以上であればよく、好ましくは、１．１〜２倍である。裏地３の表地２に対する取付け方法は、縫合に限られず、接着剤による接着や超音波溶着等が採用されてもよい。
【００６８】
また、本発明の衣服は、例えば、フード付きの上衣、袖無しの上衣（所謂ベスト）、上衣とズボンがつながった所謂つなぎ服、またはズボンとしても好適に実現することができる。上衣およびつなぎ服に関しては、裏地３は、表地２の後身頃２１の少なくとも一部（好ましくは半分以上、より好ましくは概ね全域）を覆うように取り付けられることが好ましい。なお、衣服の用途は特に限定されるものではなく、作業着、スポーツウェア、レジャーウェア、消防服、防護服、手術着等として実現されうる。
【００６９】
ここで、図８および図９を参照して、上着１の一変形例に係るベスト１００について説明する。図８および図９に示すように、ベスト１００は、上着１（図２参照）と同様に、表地２００と裏地３００とを備えている。但し、上着１とは異なり、表地２００は、後身頃２１および前身頃２３のみを有し、袖は有していない。裏地３００は、上着１と同様、後身頃２１および前身頃２３全体を覆うように、縁部３０の全体が表地２に縫い付けられている。但し、上着１とは異なり、裏地３００には、両腕の付け根の背中側の部分に対応した排気領域３２は設けられていない。上着１におけるこれらの排気領域３２は、袖２５内へ外気を送出するために設けられているのに対し、袖なしのベスト１００ではその必要性は低いからである。ベスト１００のその他の構成については、上着１と同一である。
【００７０】
なお、上述のように、衣服の末端部（上着の裾や袖口等）をファスナ等で閉じたりゴムで絞ったりすることで身体と生地の間に外気が流動可能な空間を保つ従来の構造では、ベスト１００のような袖無しの上衣を実現することが難しかった。これに対し、裏地３００と表地２００の間の内部空間１０の圧力を利用することで、ベスト１００においても効果的に着用者の身体を冷却することができる。また、ベスト１００は、袖がないことで、着用時の圧迫感を更に低減し、動きやすさを向上させることができる。
【００７１】
以下に、上着１の更なる変形例としての上着１０２およびベスト１０４と、上着１、上着１０２およびベスト１０４に対する比較例としての上着１０９（いずれも図示は省略）について説明する。
【００７２】
上着１０２は、図２に示す上着１と同じ構成を有する前開きの長袖の上衣として構成されている。つまり、上着１０２は、後身頃、前身頃および袖を含む表地と、前身頃と後身頃の全体を覆うように取り付けられ、主領域と排気領域とを含む裏地とを備え、ファンユニット８が着脱可能に構成されている。但し、上着１０２の表地の特性は、上着１の表地２とは異なっている。具体的には、上着１０２の表地は、綿の織物であって、その経密度は１２０本／２．５４ｃｍ、緯密度は１１０本／２．５４ｃｍである。また、表地の目付けは１５５ｇ／ｍ２である。更に、ＪＩＳ  Ｌ１０９６―１９９８  ６．２７通気性Ａ法（フラジール法）により測定した通気度は、６．９ｃｃ／ｃｍ２／ｓである。上着１０２の裏地（主領域および排気領域）の種類、密度、目付けおよび通気度は、上着１の裏地３と同じである。
【００７３】
ベスト１０４は、図９に示すベスト１００と同じ構成を有する袖なしの上衣として構成されている。つまり、ベスト１０４は、後身頃および前身頃を含む表地と、前身頃と後身頃の全体を覆うように取り付けられ、主領域と排気領域とを含む裏地とを備え、ファンユニット８が着脱可能に構成されている。なお、両腕の付け根の背中側の部分には対応した排気領域が設けられていない点も、ベスト１００と同様である。ベスト１０４の表地は、ポリエステルの織物であって、その経密度は２４９本／２．５４ｃｍ、緯密度は１０３本／２．５４ｃｍである。また、表地の目付けは１０３ｇ／ｍ２である。更に、ＪＩＳ  Ｌ１０９６―１９９８  ６．２７通気性Ａ法（フラジール法）により測定した通気度は、０．３ｃｃ／ｃｍ２／ｓである。ベスト１０４の裏地（主領域および排気領域）の種類、密度、目付けおよび通気度は、上着１の裏地３と同じである。
【００７４】
比較例に係る上着１０９は、前開きの長袖の上衣として構成されており、後身頃、前身頃および袖を含む表地と、表地に取り付けられた裏地とを備え、ファンユニット８が着脱可能に構成されている。但し、上着１０９の裏地は、後身頃のみを覆うように表地に接合されている。上着１０９の表地の種類、密度、目付けおよび通気度は、上着１の表地２と同じである。上着１０９の裏地は、ポリエステルのメッシュ生地であって、ＪＩＳ  Ｌ１０９６―１９９８  ６．２７通気性Ａ法（フラジール法）により測定したその通気度は、１７０．７ｃｃ／ｃｍ２／ｓである。なお、上着１０９の裏地は、通気度が非常に高いメッシュ生地で全体が形成されており、上着１の主領域３１と排気領域３２のように、通気度の異なる複数の領域を含んでいない。
【００７５】
発明者らは、上着１の変形例に係る上着１０２およびベスト１０４と、比較例に係る上着１０９についても、上着１と同様に、差圧式流量計を用いて風量を測定しつつ、ファンユニット８によって表地と裏地の間に形成された内部空間へ送風を行い、このときの内圧（ゲージ圧）を測定した。
【００７６】
上着１０２に関しては、風量が毎分０．６９ｍ３のときの内圧は４．４Ｐａ、風量が毎分１．１６ｍ３のときの内圧は６．３Ｐａ、風量が毎分１．５８ｍ３のときの内圧は９．９Ｐａ、風量が毎分１．９４ｍ３のときの内圧は１５．６Ｐａ、風量が毎分２．３５ｍ３のときの内圧は２０．５Ｐａであった。
【００７７】
ベスト１０４に関しては、風量が毎分１．１６ｍ３のときの内圧は８．２Ｐａ、風量が毎分１．６１ｍ３のときの内圧は１２．７Ｐａ、風量が毎分１．９７ｍ３のときの内圧は１６．１Ｐａ、風量が毎分２．３２ｍ３のときの内圧は２０．０Ｐａ、風量が毎分２．５４ｍ３のときの内圧は２３．５Ｐａであった。
【００７８】
上着１０９に関しては、風量が毎分０．５２ｍ３のときの内圧は０．７Ｐａ、風量が毎分１．１５ｍ３のときの内圧は１．０Ｐａ、風量が毎分１．７０ｍ３のときの内圧は０．６Ｐａ、風量が毎分２．０３ｍ３のときの内圧は０．５Ｐａ、風量が毎分２．４８ｍ３のときの内圧は０．２Ｐａであった。
【００７９】
これらの結果が、関数Ｐ＝１．１Ｑ２、Ｐ＝１．４Ｑ２、Ｐ＝２．０Ｑ２、Ｐ＝３．０Ｑ２のグラフ、および、上述した上着１の測定結果とともに、図１０にプロットされている。図１０に示すように、本実施形態の上着１と同様、上着１０２およびベスト１０４については何れも、内圧Ｐと風量Ｑが、Ｐ≧３．０Ｑ２という関係を満たしている。このことから、上着１０２およびベスト１０４においても、ファンユニット８の風量Ｑが毎分０．８ｍ３（弱）に設定された場合でも、比較的高い内圧Ｐを得ることができることがわかる。よって、上着１０２およびベスト１０４でも、上着１と同様、ファンユニット８の駆動に応じて裏地が表地から離れる方向に膨らんで着用者の身体に接触することで、効率的な熱交換を実現することができる。また、裏地を通して緩やかに流出する外気によって、着用者の身体からの放熱を効果的に促すことができる。
【００８０】
一方、比較例の上着１０９に関しては、風量が大きくなっても内圧が高まらない。より詳細には、実際に測定が行われた毎分０．５２ｍ３から毎分２．４８ｍ３までの風量範囲内において、内圧は最大でも１パスカルであって、全体としては１パスカル以下で概ね横這いである。これは、裏地の通気度が１７０．７ｃｃ／ｃｍ２／ｓと高く、内部空間に送出された外気が、裏地を容易に通過してしまうためである。なお、裏地の通気度が５０ｃｃ／ｃｍ２／ｓを超えると、内部空間に送出された外気が容易に裏地を通過してしまい、内圧を十分に高めるのが難しくなることから、上述のように、裏地（主領域と排気領域を含む場合は主領域）の通気度の好ましい上限は５０ｃｃ／ｃｍ２／ｓとされている。このように、比較例に係る上着１０９では、ファンユニット８によって送風が行われても、内圧が十分に高まらないため、裏地を表地から離れる方向に膨らませにくい。また、ファンユニット８から内部空間に送出された外気は、排気口８８０の近傍で、着用者の身体側へと裏地を容易に通過することができるため、内部空間全域に外気を流動させにくい。よって、上着１０９が上着１、上着１０２、ベスト１０４のような効果を発揮することは難しい。
【００８１】
ファンユニット８の構成についても、適宜、変更されてよい。例えば、モータ８２として、より小型で高出力なブラシレスモータが採用されてもよい。ファン８３の径や羽根８３１の数が変更されてもよい。かかる変更に伴い、ファンユニット８の風量も変動しうる。ファンユニット８の風量は、必ずしも２段階で調節可能である必要はない。つまり、ファンユニット８の風量（モータ８２の回転数）は一定であってもよいし、３段階以上で調節可能であっても、無段階で調節可能であってもよい。なお、裏地３を十分に膨らませる内圧をより確実に達成するとの観点からは、ファンユニット８の風量は、毎分０．５ｍ３以上に設定可能であることが好ましく、毎分０．８ｍ３以上に設定可能であることがより好ましい。なお、風量の調節の指示は、操作ボタン９６５以外の操作部材（ダイアル等）を介して入力されてもよいし、バッテリホルダ９６とは別体として設けられた操作ユニットに配置されていてもよい。また、モータ８２の駆動制御（ファン８３の風量制御）を行うコントローラは、バッテリホルダ９６ではなく、ファンユニット８に配置されていてもよい。
【００８２】
なお、ファンユニット８は、１つのハウジング８４内に複数のファン８３が収容された構成であってもよい。この場合、ファン８３の数に対応して、モータ８２も複数設けられていてもよい。つまり、本発明の送風装置は、少なくとも１つのファンと、少なくとも１つのモータと、少なくとも１つのファンおよび少なくとも１つのモータを収容するとともに、表地に着脱可能なハウジングとを備えていればよい。
【００８３】
また、ファンユニット８の表地２に対する取付け方法は、上記実施形態の例に限られない。例えば、ハウジング８４（筒状部８５）およびリング部材８９の一方に可撓性を有する係止片が設けられ、他方に係止片が係止可能な凹部が設けられていてもよい。この場合、リング部材８９がハウジング８４に対して回転軸Ａ１方向に嵌め込まれ、係止片が凹部に係止することで、取付けが完了する。あるいは、ハウジング８４（筒状部８５）の外周面にＬ字状のガイド溝が設けられ、リング部材８９の内周面にガイド溝に係合可能な突起が設けられていてもよい。この場合、突起がガイド溝内に配置された状態で、リング部材８９がハウジング８４に対して回転軸Ａ１方向に嵌め込まれ、更に、周方向に回転されることで、取付けが完了する。また、ファンユニット８の取付け位置（ファン取付け部２１２）が、後身頃２１に代えて前身頃２３に設けられてもよい。また、ハウジング８４が回転軸Ａ２方向に２つの部分に分離可能であって、これら２つの部分が取付け部２１２を挟持した状態で係合されてもよい。
【００８４】
ファンユニット８の取付け位置や取付け可能な数についても、適宜、変更が可能である。例えば、ファンユニット８は、前身頃に着脱可能であってもよい。取付け可能なファンユニット８の数は、１であってもよいし、３以上であってもよい。
【００８５】
上記実施形態および変形例の各構成要素と本発明の各構成要素の対応関係を以下に示す。上着１、１２０、ベスト１００、１０４は、本発明の「衣服」の一例である。ファンユニット８、吸気口８６０、排気口８８０は、夫々、本発明の「送風装置」、「吸気口」、「排気口」の一例である。表地２、２００、裏地３、３００は、夫々、本発明の「表地」、「裏地」の一例である。ファン取付け部２１２は、本発明の「取付け部」の一例である。内部空間１０は、本発明の「内部空間」の一例である。主領域３１、排気領域３２は、夫々、本発明の「第１領域」、「第２領域」の一例である。
【００８６】
本発明および上記実施形態の趣旨に鑑み、以下の態様が構築される。以下の態様のうち少なくとも１つが、単独で、または、上述の実施形態、変形例、もしくは各請求項に記載された発明と組み合わされて採用されてもよい。
［態様１］
前記表地の通気度は、前記裏地の通気度よりも低くてもよい。
［態様２］
前記表地の通気度は、前記裏地の前記第１領域の前記第１の通気度よりも低くてもよい。
これらの態様によれば、内部空間に送出された外気が表地を通して外部に流出することを抑制するため、内部空間の圧力を良好に維持しつつ、外気を裏地から優先的に流出させることができる。なお、ＪＩＳ  Ｌ１０９６―１９９８  ６．２７通気性Ａ法（フラジール法）により測定した表地の通気度は、０．０１〜４０ｃｃ／ｃｍ２／ｓの範囲内であるとよく、好ましくは０．０５〜２０ｃｃ／ｃｍ２／ｓの範囲内であり、より好ましくは０．０５〜１０ｃｃ／ｃｍ２／ｓの範囲内である。
［態様３］
前記裏地のうち、前記表地と前記裏地との接合部に囲まれた第１領域の面積は、前記表地のうち前記接合部に囲まれた第２領域の面積以上であるとよい。
表地の第２領域の面積の方が裏地の第１領域の面積よりも大きいと、表地が外側に膨らみやすい。これに対し、本態様によれば、内部空間に送出された外気によって、裏地を表地から離れる方向に膨らませ、裏地の少なくとも一部を身体に接触させやすくすることができる。なお、第１領域の面積が第２領域の面積よりも大きい場合には、特に効果的である。
［態様４］
前記表地は、前記取付け部を有する後身頃と、前身頃とを含み、
前記裏地は、少なくとも前記後身頃の一部を覆うように前記表地に取り付けられており、
前記後身頃を下、前記裏地を上にした状態で前記衣服を概ね水平な平面に載置し、前記内部空間に前記送風装置で送風を行った場合に、前記圧力が０．７２Ｐａであるときの前記表地と前記裏地の最大距離が、少なくとも５．５ｃｍであってもよい。
本態様によれば、内部空間の圧力を０．７２Ｐａまで高めることで、裏地の少なくとも一部を着用者の身体に密着させることができる。
［態様５］
態様４において、前記圧力が０．９０Ｐａであるときの前記表地と前記裏地の最大距離が、少なくとも８．０ｃｍであってもよい。
本態様によれば、内部空間の圧力を０．９０Ｐａまで高めることで、裏地のより広い領域を着用者の身体により確実に密着させることができる。
［態様６］
吸気口と排気口とを有する送風装置が着脱可能な衣服において、
後身頃と前身頃とを少なくとも含む表地と、
少なくとも前記後身頃の一部を覆うように、前記表地に取り付けられた裏地とを備え、
前記後身頃は、前記吸気口および前記排気口が前記表地の外側および前記裏地側に夫々配置された状態で前記送風装置が取り付けられる取付け部を有し、
前記表地と前記裏地の間には、前記送風装置の駆動によって前記排気口から送出された外気が流動可能な内部空間が形成されており、
前記送風装置は、毎分０．５ｍ３以上の風量の外気を送出可能であって、
前記衣服は、前記後身頃を下、前記裏地を上にした状態で前記衣服を概ね水平な平面に載置し、前記送風装置によって毎分０．８ｍ３の風量で前記内部空間に前記外気が送出されたときの前記内部空間を形成する前記表地と前記裏地との間の最大距離が、少なくとも５．５ｃｍとなるように構成されていてもよい。
本態様によれば、比較的少ない毎分０．８ｍ３の風量でも、裏地の少なくとも一部を着用者の身体に密着させることができる。
［態様７］
態様６の衣服において、前記最大距離は、少なくとも８．０ｃｍとなるように構成されていてもよい。
本態様によれば、比較的少ない毎分０．８ｍ３の風量でも、裏地のより広い領域を着用者の身体により確実に密着させることができる。
［態様８］
態様６または態様７の衣服において、
前記後身頃を下、前記裏地を上にした状態で前記衣服を概ね水平な平面に載置し、前記送風装置が毎分０．５ｍ３の風量で前記内部空間に前記外気を送出したときの前記最大距離が、少なくとも５．５ｃｍとなるように構成されていてもよい。
本態様によれば、比較的少ない毎分０．５ｍ３の風量でも、裏地の少なくとも一部を着用者の身体に密着させることができる。
［態様９］
態様８の衣服において、前記後身頃を下、前記裏地を上にした状態で前記衣服を概ね水平な平面に載置し、前記送風装置が毎分０．６ｍ３の風量で前記内部空間に前記外気を送出したときの前記最大距離が、少なくとも８．０ｃｍとなるように構成されていてもよい。
本態様によれば、比較的少ない毎分０．６ｍ３の風量でも、裏地のより広い領域を着用者の身体により確実に密着させることができる。
［態様１０］
前記衣服は、後身頃と前身頃とを少なくとも含む上着であって、
前記前身頃は、右前身頃と左前身頃とが、分離可能に接合されていてもよい。
本態様によれば、前身頃を左右に分離した状態（つまり、前を開けた状態）で着用することが可能となるため、着用時の動きやすさや着用態様の自由度を向上することができる。なお、右前身頃と左前身頃は、例えば、スライドファスナ、面ファスナ、スナップボタン等によって分離可能に接合することができる。
［態様１１］
前記衣服は、後身頃と前身頃とを含む袖なしの上着であってもよい。
本態様によれば、衣服の着用時の圧迫感を更に低減し、動きやすさを更に向上させることができる。
［態様１２］
前記裏地には、吸水加工が施されていてもよい。
本態様によれば、着用者の身体に接触した裏地で汗を速やかに吸収し、表地と裏地の間で流動する外気によって、この汗を蒸発させることができるため、冷却効果をより一層高めることができる。
［態様１３］
前記第２領域は、少なくとも１つ設けられており、全体として、前記第１領域の面積の１０パーセント以下の面積を有していてもよい。
本態様によれば、好適な内圧を維持しつつ、着用者の特定の部位を選択的に冷却することができる。
【００８７】
［態様１４］
衣服であって、
吸気口と排気口とを有する送風装置と、
表地と、
前記表地に取り付けられた裏地とを備え、
前記表地は、前記吸気口および前記排気口が前記表地の外側および前記裏地側に夫々配置された状態で前記送風装置が着脱可能な取付け部を有し、
前記表地と前記裏地の間には、前記送風装置の駆動によって前記排気口から送出された外気が流動可能な内部空間が形成されており、
前記衣服は、非着用状態で前記送風装置によって前記内部空間に前記外気が送出された場合の前記内部空間の圧力が、前記送風装置が送風可能な風量範囲内の何れかの風量において、少なくとも５パスカルとなるように構成されていることを特徴とする衣服。
【００８８】
本態様の衣服によれば、送風装置によって表地と裏地の間に送出された外気によって内部空間の圧力を少なくとも５パスカルまで高め、裏地を表地から離れる方向に膨らませる（つまり、表地と裏地との間の距離を増大させる）ことができる。これにより、裏地の少なくとも一部を着用者の身体（または肌着）に接触させやすくなるため、裏地に汗を吸収させて、表地と裏地の間で流動する外気によって、この汗を蒸発させやすくなる。この場合、裏地と身体（または肌着）との接触部分では、効率的な熱交換が行われ、着用者を効果的に冷却することができる。なお、本態様の「送風装置が送風可能な風量範囲」とは、風量が一律である（変更不能である）場合には、予め定められた所定の風量をいい、風量が変更可能である場合には、使用者の操作を介して、あるいは制御装置によって設定可能な風量の最小値から最大値までの範囲をいう。なお、衣服に着脱可能な送風装置の仕様に関する現実的な制約を考慮すると、最小値は概ね毎分０．４立方メートル（ｍ３／ｍｉｎ）以上であり、最大値は概ね毎分２．５立方メートル（ｍ３／ｍｉｎ）以下である。縫製にもよるが、内部空間の圧力は、４０．４パスカル以下程度であることが好ましい。この場合、内部空間の圧力が高まりすぎて、裏地が過度に着用者の身体に押し付けられ、着用感が損なわれるのを抑制することができる。
【００８９】
［態様１５］
吸気口と排気口とを有する送風装置が着脱可能な衣服であって、
表地と、
前記表地に取り付けられた裏地とを備え、
前記表地は、前記吸気口および前記排気口が前記表地の外側および前記裏地側に夫々配置された状態で前記送風装置が着脱可能な取付け部を有し、
前記表地と前記裏地の間には、前記取付け部に装着された前記送風装置の駆動によって前記排気口から送出された外気が流動可能な内部空間が形成されており、
ＪＩＳ  Ｌ１０９６―１９９８  ６．２７通気性Ａ法（フラジール法）により測定した前記裏地の通気度は、１〜５０ｃｃ／ｃｍ２／ｓの範囲内であり、且つ、前記表地の通気度よりも大きいことを特徴とする衣服。
【００９０】
本態様の衣服では、裏地の通気度は、表地の通気度よりは大きいものの、比較的小さく設定されている。これにより、内部空間の外気の圧力をある程度高く維持しつつ、内部空間の外気を、裏地を通して着用者の身体側に緩やかに流出させることができる。よって、本態様の衣服によれば、裏地が身体に接触していない場合であっても、裏地全体から緩やかに流出する外気によって身体の広範囲からの放熱を促進し、着用者を効果的に冷却することができる。また、裏地の少なくとも一部が着用者の身体に接触している場合には、その部分に汗を吸収させ、表地と裏地の間で流動する外気によって、この汗を蒸発させることができる。この場合、効率的な熱交換によって着用者を効果的に冷却することができる。
【００９１】
なお、本態様における裏地の通気度は、好ましくは１０〜３０ｃｃ／ｃｍ２／ｓの範囲内であり、より好ましくは、１５〜２５ｃｃ／ｃｍ２／ｓの範囲内である。また、裏地には、上記範囲の上限よりも通気度が大きい通気口（通気度がより高い生地で覆われた開口であっても、貫通孔であってもよい）が選択的に設けられていてもよい。なお、第１領域の通気度を上記範囲内とすることで、裏地が着用者の身体に接触していない場合であっても、第１領域を通して身体側に流出する外気によって、身体からの放熱を促進することができる。特に、第１領域の通気度が、１０〜３０ｃｃ／ｃｍ２／ｓの範囲内である場合は、送風量を大きくしなくても、裏地の少なくとも一部が着用者の身体に接触しつつ、第１領域を通して外気が身体側に十分に流出するので、裏地と身体（または肌着）との接触部分における効率的な熱交換と、身体の広範囲からの放熱との両方をより確実に実現することができ、効果的に着用者の身体を冷却することが可能となる。
【００９２】
［態様１６］
吸気口と排気口とを有する送風装置が着脱可能な衣服であって、
表地と、
前記表地に取り付けられた裏地とを備え、
前記表地は、前記吸気口および前記排気口が前記表地の外側および前記裏地側に夫々配置された状態で前記送風装置が着脱可能な取付け部を有し、
前記表地と前記裏地の間には、前記取付け部に装着された前記送風装置の駆動によって前記排気口から送出された外気が流動可能な内部空間が形成されており、
前記裏地の通気度は、前記表地の通気度よりも大きく、
前記裏地のうち、前記表地と前記裏地との接合部に囲まれた第１領域の面積は、前記表地のうち前記接合部に囲まれた第２領域の面積よりも大きいことを特徴とする衣服。
【００９３】
本態様の衣服は、裏地の通気度を表地の通気度よりも高く設定することで、送風装置が取付け部に装着され、内部空間に外気が送出された場合、外気が表地よりも裏地から流出しやすい構成とされている。また、裏地の第１領域の面積の方が表地の第２領域の面積よりも大きいため、裏地が着用者の身体側に膨らみやすく、裏地の少なくとも一部が着用者の身体（または肌着）に接触しやすくなる。これにより、裏地に汗を吸収させて、表地と裏地の間で流動する外気によって、この汗を蒸発させやすくなる。また、裏地を通して流出した外気によって、着用者の身体からの放熱を促進することができる。よって、着用者の身体を効果的に冷却することができる。また、表地よりも裏地の膨らみの方が大きくなるため、例えば、表地を身体に沿った大きさとした場合であっても、裏地を効率的に身体に接触させやすい。なお、本態様において、第１領域の面積は、第２領域の面積の１．１〜２倍であることが好ましい。この場合、裏地を身体側に効果的に膨ませることができる。
【００９４】
なお、本態様における表地と裏地との接合方法は特に限定されるものではなく、例えば、縫合、接着を含む。なお、第１領域および第２領域は、全周に亘って接合されている必要はなく、外周の一部に接合されていない部分（内部空間と外部とを連通する開口）が選択的に設けられてもよい。また、このような開口は、例えば、ボタン、スライドファスナ、面ファスナ等の手段によって閉塞可能であってもよい。
【符号の説明】
【００９５】
１：上着
１０：内部空間
２：表地
２１：後身頃
２１１：取付け開口
２１２：ファン取付け部
２３：前身頃
２３１：スライドファスナ
２５：袖
２５１：ストラップ
２９：引き紐
３：裏地
３０：縁部
３０１：開口
３０２：スライドファスナ
３０４：ポケット
３０６：開口
３１：主領域
３２：排気領域
８：ファンユニット
８１：本体部
８２：モータ
８３：ファン
８３１：羽根
８４：ハウジング
８５：筒状部
８６：吸気部
８６０：吸気口
８６１：閉塞部
８６３：第１リブ
８６４：第２リブ
８７：フランジ部
８８：排気部
８８０：排気口
８８１：閉塞部
８８３：第１リブ
８８４：第２リブ
８８５：第３リブ
８８７：コネクタ配置領域
８８８：コネクタ
８９：リング部材
８９１：筒状部
８９３：フランジ部
９１：ケーブル
９１１：コネクタ
９１３：コネクタ
９５：バッテリ
９６：バッテリホルダ
９６１：ケーブル
９６２：コネクタ
９６３：クリップ
９６５：操作ボタン